(57)【特許請求の範囲】
【請求項１】
有料番組を構成する映像音声情報にＣＭ（コマーシャルメッセージ）情報を挿入したＣＭ付有料番組を管理し、複数の有料番組受信端末にＣＭ付有料番組を送信するＣＭ情報管理装置であって、
前記ＣＭ付有料番組と、前記ＣＭ付有料番組を構成する映像音声情報とＣＭ情報との再生順序を記載したＣＭ付番組構成表とを記憶している番組記憶手段と、
前記有料番組受信端末から有料番組の要求を受信したとき、要求された前記有料番組に対応するＣＭ付有料番組と、そのＣＭ付有料番組のＣＭ付番組構成表とを前記番組記憶手段から読み出し、前記要求元の有料番組受信端末に、読み出した前記ＣＭ付有料番組と前記ＣＭ付番組構成表とを送信する読出送信手段と、
前記読出送信手段が前記ＣＭ付有料番組と前記ＣＭ付番組構成表とを送信した後に、前記要求元の有料番組受信端末から、送信済みの前記ＣＭ付番組構成表により再生されるＣＭ情報の削除の要求を受信したとき、送信済みの有料番組を送信せずに、送信済みの前記ＣＭ付番組構成表からＣＭ情報の再生順序を省略した番組構成表を取得し、取得した前記番組構成表を前記要求元の有料番組受信端末に送信する番組構成表送信手段とを備えることを特徴とするＣＭ情報管理装置。
【請求項２】
ＣＭ情報の削除の要求がされると、削除するＣＭ情報の数に応じて有料番組受信端末に課す追加視聴料金と、削除するＣＭ情報の数に応じた広告主に返還する広告料の返還額とを計算する削除計算手段を更に備えることを特徴とする請求項１記載のＣＭ情報管理装置。
【請求項３】
前記削除計算手段で計算された追加視聴料金を前記要求元の有料番組受信端末に通知する通知手段と、
前記有料番組受信端末から追加視聴料金に同意するとの旨の通知を受けた後に、前記番組構成表送信手段に前記番組構成表の送信を許可する番組構成表送信許可手段とを更に備えることを特徴とする請求項２記載のＣＭ情報管理装置。
【請求項４】
前記番組記憶手段は、
前記ＣＭ付有料番組を記憶しているＣＭ付有料番組記憶部と、
前記ＣＭ付番組構成表を記憶しているＣＭ付番組構成表記憶部とを有していることを特徴とする請求項１記載のＣＭ情報管理装置。
【請求項５】
有料番組を構成する映像音声情報にＣＭ（コマーシャルメッセージ）情報を挿入したＣＭ付有料番組を管理するＣＭ情報管理装置からＣＭ付有料番組を受信して再生する有料番組受信端末であって、
前記ＣＭ情報管理装置に、有料番組の送信を要求する送信要求手段と、
前記ＣＭ情報管理装置から、前記送信要求手段が送信を要求した前記有料番組に対応するＣＭ付有料番組と前記ＣＭ付有料番組のＣＭ付番組構成表とを受信し、記憶する受信記憶手段と、
前記受信記憶手段にて記憶された前記ＣＭ付番組構成表の再生順序に従い、前記受信記憶手段にて記憶された前記ＣＭ付有料番組を構成する映像音声情報及びＣＭ情報を再生する再生手段と、
前記ＣＭ情報管理装置に、前記受信記憶手段にて記憶された前記ＣＭ付番組構成表により再生されるＣＭ情報の削除を要求するＣＭ削除要求手段と、
前記ＣＭ情報管理装置から、前記ＣＭ削除要求手段が削除を要求した前記ＣＭ情報の再生順序を省略した番組構成表を前記ＣＭ情報管理装置から受信し、記憶する番組構成表受信記憶手段とを備え、
前記再生手段は、前記番組構成表受信記憶手段により前記番組構成表が記憶された後は、前記受信記憶手段にて記憶された前記ＣＭ付番組構成表の代わりに前記番組構成表受信手段にて記憶された前記番組構成表を用いて、前記番組構成表の再生順序に従い、前記受信記憶手段にて記憶された前記ＣＭ付有料番組に含まれる前記有料番組を構成する映像音声情報を再生することを特徴とする有料番組受信端末。
【請求項６】
前記ＣＭ情報管理装置から追加視聴料金の通知を受け、その追加視聴料金に同意する旨の通知をする同意通知手段を更に備えることを特徴とする請求項５記載の有料番組受信端末。
【請求項７】
有料番組を構成する映像音声情報にＣＭ（コマーシャルメッセージ）情報を挿入したＣＭ付有料番組を管理するＣＭ情報管理装置と、
前記ＣＭ情報管理装置からＣＭ付有料番組を受信して再生する有料番組受信端末とからなる有料番組送受信システムであって、
前記ＣＭ情報管理装置は、
前記ＣＭ付有料番組と、前記ＣＭ付有料番組を構成する映像音声情報とＣＭ情報との再生順序を記載したＣＭ付番組構成表とを記憶している番組記憶手段と、
前記有料番組受信端末から有料番組の要求を受信したとき、要求された前記有料番組に対応するＣＭ付有料番組と、そのＣＭ付有料番組のＣＭ付番組構成表とを前記番組記憶手段から読み出し、前記要求元の有料番組受信端末に、読み出した前記ＣＭ付有料番組と前記ＣＭ付番組構成表とを送信する読出送信手段と、
前記読出送信手段が前記ＣＭ付有料番組と前記ＣＭ付番組構成表とを送信した後に、前記要求元の有料番組受信端末から、送信済みの前記ＣＭ付番組構成表により再生されるＣＭ情報の削除の要求を受信したとき、送信済みの有料番組を送信せずに、送信済みの前記ＣＭ付番組構成表からＣＭ情報の再生順序を省略した番組構成表を取得し、取得した前記番組構成表を前記要求元の有料番組受信端末に送信する番組構成表送信手段とを備え、
前記有料番組受信端末は、
前記ＣＭ情報管理装置に、有料番組の送信を要求する送信要求手段と、
前記ＣＭ情報管理装置から、前記送信要求手段が送信を要求した前記有料番組に対応するＣＭ付有料番組と前記ＣＭ付有料番組のＣＭ付番組構成表とを受信し、記憶する受信記憶手段と、
前記受信記憶手段にて記憶された前記ＣＭ付番組構成表の再生順序に従い、前記受信記憶手段にて記憶された前記ＣＭ付有料番組を構成する映像音声情報及びＣＭ情報を再生する再生手段と、
前記ＣＭ情報管理装置に、前記受信記憶手段にて記憶された前記ＣＭ付番組構成表により再生されるＣＭ情報の削除を要求するＣＭ削除要求手段と、
前記ＣＭ情報管理装置から、前記ＣＭ削除要求手段が削除を要求した前記ＣＭ情報の再生順序を省略した番組構成表を前記ＣＭ情報管理装置から受信し、記憶する番組構成表受信記憶手段とを備え、
前記再生手段は、前記番組構成表受信記憶手段により前記番組構成表が記憶された後は、前記受信記憶手段にて記憶された前記ＣＭ付番組構成表の代わりに前記番組構成表受信手段にて記憶された前記番組構成表を用いて、前記番組構成表の再生順序に従い、前記受信記憶手段にて記憶された前記ＣＭ付有料番組に含まれる前記有料番組を構成する映像音声情報を再生することを特徴とする有料番組送受信システム。
【請求項８】
有料番組を構成する映像音声情報にＣＭ（コマーシャルメッセージ）情報を挿入したＣＭ付有料番組を管理し、複数の有料番組受信端末にＣＭ付有料番組を送信するＣＭ情報管理装置に用いられるＣＭ情報管理方法であって、
前記ＣＭ付有料番組と、前記ＣＭ付有料番組を構成する映像音声情報とＣＭ情報との再生順序を記載したＣＭ付番組構成表とを記憶領域に記憶する番組記憶ステップと、
前記有料番組受信端末から有料番組の要求を受信したとき、要求された前記有料番組に対応するＣＭ付有料番組と、そのＣＭ付有料番組のＣＭ付番組構成表とを前記記憶領域から読み出し、前記要求元の有料番組受信端末に、読み出した前記ＣＭ付有料番組と前記ＣＭ付番組構成表とを送信する読出送信ステップと、
前記読出送信ステップが前記ＣＭ付有料番組と前記ＣＭ付番組構成表とを送信した後に、前記要求元の有料番組受信端末から、送信済みの前記ＣＭ付番組構成表により再生されるＣＭ情報の削除の要求を受信したとき、送信済みの有料番組を送信せずに、送信済みの前記ＣＭ付番組構成表からＣＭ情報の再生順序を省略した番組構成表を取得し、取得した前記番組構成表を前記要求元の有料番組受信端末に送信する番組構成表送信ステップとを有することを特徴とするＣＭ情報管理方法。
【請求項９】
有料番組を構成する映像音声情報にＣＭ（コマーシャルメッセージ）情報を挿入したＣＭ付有料番組を管理するＣＭ情報管理装置からＣＭ付有料番組を受信して再生する有料番組受信端末に用いられる有料番組受信方法であって、
前記ＣＭ情報管理装置に、有料番組の送信を要求する送信要求ステップと、
前記ＣＭ情報管理装置から、前記送信要求ステップが送信を要求した前記有料番組に対応するＣＭ付有料番組と前記ＣＭ付有料番組のＣＭ付番組構成表とを受信し、第１の記憶領域に記憶する受信記憶ステップと、
前記第１の記憶領域に記憶された前記ＣＭ付番組構成表の再生順序に従い、前記第１の記憶領域に記憶されている前記ＣＭ付有料番組を構成する映像音声情報及びＣＭ情報を再生する再生ステップと、
前記ＣＭ情報管理装置に、前記第１の記憶領域に記憶されている前記ＣＭ付番組構成表により再生されるＣＭ情報の削除を要求するＣＭ削除要求ステップと、
前記ＣＭ情報管理装置から、前記ＣＭ削除要求ステップが削除を要求した前記ＣＭ情報の再生順序を省略した番組構成表を前記ＣＭ情報管理装置から受信し、第２の記憶領域に記憶する番組構成表受信記憶ステップとを備え、
前記再生ステップは、前記番組構成表受信記憶ステップで前記番組構成表が記憶された後は、前記第１の記憶領域に記憶されている前記ＣＭ付番組構成表の代わりに前記第２の記憶領域に記憶されている前記番組構成表を用いて、前記番組構成表の再生順序に従い、前記第１の記憶領域に記憶されている前記ＣＭ付有料番組に含まれる前記有料番組を構成する映像音声情報を再生することを特徴とする有料番組受信方法。
【請求項１０】
有料番組を構成する映像音声情報にＣＭ（コマーシャルメッセージ）情報を挿入したＣＭ付有料番組を管理し、複数の有料番組受信端末にＣＭ付有料番組を送信するＣＭ情報管理装置に実行させるＣＭ情報管理プログラムであって、
前記ＣＭ付有料番組と、前記ＣＭ付有料番組を構成する映像音声情報とＣＭ情報との再生順序を記載したＣＭ付番組構成表とを記憶領域に記憶する番組記憶ステップと、
前記有料番組受信端末から有料番組の要求を受信したとき、要求された前記有料番組に対応するＣＭ付有料番組と、そのＣＭ付有料番組のＣＭ付番組構成表とを前記記憶領域から読み出し、前記要求元の有料番組受信端末に、読み出した前記ＣＭ付有料番組と前記ＣＭ付番組構成表とを送信する読出送信ステップと、
前記読出送信ステップが前記ＣＭ付有料番組と前記ＣＭ付番組構成表とを送信した後に、前記要求元の有料番組受信端末から、送信済みの前記ＣＭ付番組構成表により再生されるＣＭ情報の削除の要求を受信したとき、送信済みの有料番組を送信せずに、送信済みの前記ＣＭ付番組構成表からＣＭ情報の再生順序を省略した番組構成表を取得し、取得した前記番組構成表を前記要求元の有料番組受信端末に送信する番組構成表送信ステップとをコンピュータに実行させることを特徴とするＣＭ情報管理プログラム。
【請求項１１】
有料番組を構成する映像音声情報にＣＭ（コマーシャルメッセージ）情報を挿入したＣＭ付有料番組を管理するＣＭ情報管理装置からＣＭ付有料番組を受信して再生する有料番組受信端末に実行させる有料番組受信プログラムであって
前記ＣＭ情報管理装置に、有料番組の送信を要求する送信要求ステップと、
前記ＣＭ情報管理装置から、前記送信要求ステップが送信を要求した前記有料番組に対応するＣＭ付有料番組と前記ＣＭ付有料番組のＣＭ付番組構成表とを受信し、第１の記憶領域に記憶する受信記憶ステップと、
前記第１の記憶領域に記憶された前記ＣＭ付番組構成表の再生順序に従い、前記第１の記憶領域に記憶されている前記ＣＭ付有料番組を構成する映像音声情報及びＣＭ情報を再生する再生ステップと、
前記ＣＭ情報管理装置に、前記第１の記憶領域に記憶されている前記ＣＭ付番組構成表にて再生されるＣＭ情報の削除を要求するＣＭ削除要求ステップと、
前記ＣＭ情報管理装置から、前記ＣＭ削除要求ステップが削除を要求した前記ＣＭ情報の再生順序を省略した番組構成表を前記ＣＭ情報管理装置から受信し、第２の記憶領域に記憶する番組構成表受信記憶ステップとをコンピュータに実行させ、
前記再生ステップでは、前記番組構成表受信記憶ステップで前記番組構成表が記憶された後は、前記第１の記憶領域に記憶されている前記ＣＭ付番組構成表の代わりに前記第２の記憶領域に記憶されている前記番組構成表を用いて、前記番組構成表の再生順序に従い、前記第１の記憶領域に記憶されている前記ＣＭ付有料番組に含まれる前記有料番組を構成する映像音声情報を再生することを特徴とする有料番組受信プログラム。
【請求項１２】
有料番組を構成する映像音声情報にＣＭ（コマーシャルメッセージ）情報を挿入したＣＭ付有料番組を管理し、複数の有料番組受信端末にＣＭ付有料番組を送信するＣＭ情報管理装置に実行させるＣＭ情報管理プログラムを記録したコンピュータ読み取り可能な記録媒体であって、
前記ＣＭ付有料番組と、前記ＣＭ付有料番組を構成する映像音声情報とＣＭ情報との再生順序を記載したＣＭ付番組構成表とを記憶領域に記憶する番組記憶ステップと、
前記有料番組受信端末から有料番組の要求を受信したとき、要求された前記有料番組に対応するＣＭ付有料番組と、そのＣＭ付有料番組のＣＭ付番組構成表とを前記記憶領域から読み出し、前記要求元の有料番組受信端末に、読み出した前記ＣＭ付有料番組と前記ＣＭ付番組構成表とを送信する読出送信ステップと、
前記読出送信ステップが前記ＣＭ付有料番組と前記ＣＭ付番組構成表とを送信した後に、前記要求元の有料番組受信端末から、送信済みの前記ＣＭ付番組構成表により再生されるＣＭ情報の削除の要求を受信したとき、送信済みの有料番組を送信せずに、送信済みの前記ＣＭ付番組構成表からＣＭ情報の再生順序を省略した番組構成表を取得し、取得した前記番組構成表を前記要求元の有料番組受信端末に送信する番組構成表送信ステップとをコンピュータに実行させるＣＭ情報管理プログラムを記録したコンピュータ読み取り可能な記録媒体。
【請求項１３】
有料番組を構成する映像音声情報にＣＭ（コマーシャルメッセージ）情報を挿入したＣＭ付有料番組を管理するＣＭ情報管理装置からＣＭ付有料番組を受信して再生する有料番組受信端末に実行させる有料番組受信プログラムを記録したコンピュータ読み取り可能な記録媒体であって、
前記ＣＭ情報管理装置に、有料番組の送信を要求する送信要求ステップと、
前記ＣＭ情報管理装置から、前記送信要求ステップが送信を要求した前記有料番組に対応するＣＭ付有料番組と前記ＣＭ付有料番組のＣＭ付番組構成表とを受信し、第１の記憶領域に記憶する受信記憶ステップと、
前記第１の記憶領域に記憶された前記ＣＭ付番組構成表の再生順序に従い、前記第１の記憶領域に記憶されている前記ＣＭ付有料番組を構成する映像音声情報及びＣＭ情報を再生する再生ステップと、
前記ＣＭ情報管理装置に、前記第１の記憶領域に記憶されている前記ＣＭ付番組構成表により再生されるＣＭ情報の削除を要求するＣＭ削除要求ステップと、
前記ＣＭ情報管理装置から、前記ＣＭ削除要求ステップが削除を要求した前記ＣＭ情報の再生順序を省略した番組構成表を前記ＣＭ情報管理装置から受信し、第２の記憶領域に記憶する番組構成表受信記憶ステップとをコンピュータに実行させ、
前記再生ステップでは、前記番組構成表受信記憶ステップで前記番組構成表が記憶された後は、前記第１の記憶領域に記憶されている前記ＣＭ付番組構成表の代わりに前記第２の記憶領域に記憶されている前記番組構成表を用いて、前記番組構成表の再生順序に従い、前記第１の記憶領域に記憶されている前記ＣＭ付有料番組に含まれる前記有料番組を構成する映像音声情報を再生することを特徴とする有料番組受信プログラムを記録したコンピュータ読み取り可能な記録媒体。
【発明の詳細な説明】
【０００１】
【発明の属する技術分野】
本発明は、有料番組にコマーシャルメッセージ（ＣＭ）を挿入することで有料番組の視聴料を廉価にする有料番組送受信システムに関する。
【０００２】
【従来の技術】
近年、既存の地上波放送に加えて、通信衛星や放送衛星、ＣＡＴＶ，インターネット等を使用する様々な放送形態が登場している。
とりわけ、通信衛星や放送衛星を用いたデジタル放送システムやインターネットを用いたインターネット放送システムでは、従来の映像音声情報に加え、電子番組ガイドを映像音声情報と同時に送受信することが可能である。
【０００３】
それらの放送の料金体系に関して、従来の民放の地上波放送のようにＣＭを番組中に挿入することで広告主から得る広告料で成り立つものや、視聴チャネル毎または視聴番組毎に視聴料を視聴者から徴収するものがある。
これらの視聴者から視聴料を徴収する有料番組であっても、ＣＭを挿入することで視聴料を廉価にすることが可能となる。このような、有料番組にＣＭを挿入する技術として、例えば特開平７−２０３４２０号公報がある。また、映像音声情報に付加された情報に基づきＣＭを挿入する技術として、特開２０００−１３７６７号公報がある。
【０００４】
【発明が解決しようとする課題】
ところが、ＣＭは、もともと視聴者の見たいものではないため、ＣＭの挿入された有料番組を視聴者が気に入った場合、ＣＭを削除して、有料番組だけを見たいと思う場合がある。
特に、放送局の保有するドラマやアニメーションは、何話にも亘り放送時間が長く、視聴料も高額であるため、一般の視聴者は、ＣＭの挿入された視聴料の割り引かれたものしか購入できないけれども、ドラマやアニメーションの視聴時は、大量のＣＭを何話にも亘り視聴しなければならない。気に入ったドラマ等であれば、追加の視聴料金を支払うこと等によりＣＭを削除して欲しいと考えるのも当然である。
【０００５】
この場合、視聴者は、一旦ＣＭの挿入済みの有料番組を、取得した後、更にＣＭの挿入していない有料番組を購入しなおす必要があり、有料番組をインターネットを介して取得するには、時間の他に余分な通信料を負担する必要もある。
一方、ＣＭの挿入により、視聴料が割り引かれた有料番組からＣＭが削除されると、広告主は、宣伝機会を失うことになり、不利益を受ける。
【０００６】
更に、有料番組にＣＭを挿入して放送する場合、放送時間の都合や、ＣＭの挿入されていない有料番組との差別化を図る等の理由により、有料番組のいくつかのシーン（映像音声情報）がカットされることがある。ＣＭを削除した場合、視聴者はカットされたシーンも含めた有料番組全体の視聴を希望すると、改めて有料番組全体を取得しなければならない。
【０００７】
そこで、本発明は、上記課題に鑑みてなされたものであり、有料番組にＣＭを挿入することで視聴料を廉価にする有料番組送受信システムにおいて、視聴者がＣＭの削除を要求した際、視聴者の負担を軽減する有料番組送受信システムを提供することを第１の目的とする。
また、本発明は、有料番組に挿入されたＣＭの広告主に不利益を生じさせない有料番組送受信システムを提供することを第２の目的とする。
【０００８】
更に、本発明は、ＣＭの挿入によりカットされた有料番組のシーンを復元するときにも、視聴者の負担を軽減することを第３の目的とする。
【０００９】
【課題を解決するための手段】
上記課題を解決するために、本発明は、有料番組にＣＭ（コマーシャルメッセージ）を挿入したＣＭ付有料番組を管理し、複数の有料番組受信端末にＣＭ付有料番組を送信するＣＭ情報管理装置であって、ＣＭ付有料番組と、有料番組を構成する映像音声情報とＣＭ情報との再生順序を記載したＣＭ付番組構成表とからなるＣＭ構成表付有料番組を記憶している番組記憶手段と、前記有料番組受信端末から有料番組を要求されると、当該有料番組のＣＭ構成表付有料番組を前記番組記憶手段から読み出し、要求元の有料番組受信端末に送信する読出送信手段と、前記有料番組受信端末からＣＭ削除を要求されると、前記ＣＭ付番組構成表からＣＭ情報の再生順序を省略した番組構成表を要求元の有料番組受信端末に送信する番組構成表送信手段とを備えることとしている。
【００１０】
また、有料番組にＣＭ（コマーシャルメッセージ）を挿入したＣＭ付有料番組を管理するＣＭ情報管理装置からＣＭ付有料番組を受信して再生する有料番組受信端末であって、前記ＣＭ情報管理装置に有料番組の送信要求をする送信要求手段と、前記ＣＭ情報管理装置から送信されるＣＭ構成表付有料番組を受信してＣＭ付番組構成表とＣＭ付有料番組とをそれぞれ記憶する受信記憶手段と、前記ＣＭ付番組構成表の再生順序に従いＣＭ情報の挿入された映像音声情報を再生する再生手段と、前記ＣＭ情報管理装置にＣＭ削除を要求するＣＭ削除要求手段と、ＣＭ情報の再生順序を省略した番組構成表を前記ＣＭ情報管理装置から受信して記憶する番組構成表受信記憶手段とを備え、前記再生手段は、前記番組構成表受信記憶手段に番組構成表が記憶された後は番組構成表の再生順序に従い映像音声情報を再生することとしている。
【００１１】
また、本発明は、ＣＭ削除の要求がされると、削除ＣＭ数に応じて有料番組受信端末に課す追加視聴料金と、削除ＣＭ数に応じた広告主に返還する広告料の返還額とを計算する削除計算手段を更に備えることとしている。
更に本発明は、前記ＣＭ構成表付有料番組は、ＣＭ情報の挿入に伴い、一部の映像音声情報がカットされており、カットされた一部の映像音声情報は、位置情報で特定される映像音声ファイル装置に記憶されており、前記番組構成表送信手段は、カットされた映像音声情報の取得先の位置情報が記録された番組構成表を送信することとしている。
【００１２】
また、前記ＣＭ構成表付有料番組は、ＣＭ情報の挿入に伴い、一部の映像音声情報がカットされており、前記番組構成表には、カットされた映像音声情報を記憶している映像音声ファイル装置の位置情報が記録されており、前記番組構成表に記録された位置情報で特定される映像音声ファイル装置に映像音声情報の取得を要求する取得要求手段と、前記映像音声ファイル装置から送信される映像音声情報を受信して前記受信記憶手段に記憶させるカット映像音声情報受信手段とを備えることとしている。
【００１３】
【発明の実施の形態】
以下、本発明に係る有料番組送受信システムの実施の形態について図面を用いて説明する。
（実施の形態１）
図１は、本発明に係る有料番組送受信システムの実施の形態１の概念図である。有料番組送受信システムは、CM情報管理装置１０１と有料番組受信端末１０２とを備える。
【００１４】
CM情報管理装置１０１は、有料番組提供者側装置１０３から有料番組の提供を受け、有料番組提供者に契約に応じた有料番組使用料を支払い、広告主から広告料を受け、有料番組に広告主側装置１０４の有するＣＭを挿入して宣伝をする。
ここで有料番組は、映画やスポーツ、ニュース等の映像音声情報から構成されている。
【００１５】
有料番組受信端末１０２は、CM情報管理装置１０１からＣＭの挿入された有料番組を受信して視聴し、CM情報管理装置１０１に挿入されたＣＭ数に応じて割り引きされたＣＭの挿入された有料番組の視聴料を支払う。
図２は、この有料番組送受信システムの構成図である。有料番組送受信システムは、CM情報管理装置１０１と有料番組受信端末１０２とから構成され、CM情報管理装置１０１は、有料番組一覧管理部２０１と、ＣＭ構成表付番組サーバ２０２と、送信数計数部２０３と、ＣＭ視聴履歴管理部２０４と、モデム２０５と、送受信制御部２０６と、ＣＭ構成表付番組管理部２０７と、ＣＭ構成表付番組送信部２０８とを備え、有料番組受信端末１０２は、番組記憶部２１１と、入力受付部２１２と、送受信制御部２１３と、モデム２１４と、ＣＭ構成表付番組受信部２１５と、視聴管理部２１６と、ＩＣカ−ド２１７と、映像音声処理部２１８とを備えている。
【００１６】
入力受付部２１２は外部のキーボード又はリモコン２３１からユーザの入力操作を受け付ける。映像音声処理部２１８は、外部のモニタ２３２に映像と音声を出力する。
有料番組一覧管理部２０１は、CM情報管理装置１０１のＣＭ構成表付番組サーバ２０２に記憶されているＣＭ付有料番組の番組名と視聴料との一覧を記憶している。
【００１７】
図３は、有料番組一覧管理部２０１に記憶されている有料番組一覧表の一例を示す図である。
有料番組一覧表３０１は、番組名３０２と、その番組の視聴料金３０３とを含んでいる。
有料番組一覧管理部２０１は、送受信制御部２０６から番組一覧表を要求されると、記憶している有料番組一覧表３０１を送受信制御部２０６に通知する。  ＣＭ構成表付番組サーバ２０２は、ハードディスク等からなり、有料番組を構成する映像音声情報にＣＭ情報を挿入したＣＭ付有料番組に、映像音声情報とＣＭ情報との再生順序を記載したＣＭ付番組構成表を付加したＣＭ構成表付番組を記憶している。
【００１８】
図４は、ＣＭ構成表付番組のデータ構造を示す図である。ＣＭ構成表付番組４０１は、ＣＭ付番組構成表４０２と、有料番組を構成する映像音声情報（ＣＵＴ１）４０３、映像音声情報（ＣＵＴ２）４０５等にＣＭ１情報４０４、ＣＭ２情報４０６等が挿入されたＣＭ付有料番組とからなる。
ＣＭ付番組構成表４０２は、図５に示すように、番組名５０１と、そのＣＭ付有料番組の再生順序の順に記載したファイルＩＤ５０２と、各ファイルＩＤで示される映像音声情報、ＣＭ情報の開始点５０３と、同じく再生時間５０４とを含んでいる。
【００１９】
ここで、番組名５０１は、このＣＭ付有料番組の番組名である。ファイルＩＤは、各映像音声情報または各ＣＭ情報のファイルを識別する識別子である。開始点５０３と再生時間５０４とは、映像音声情報またはＣＭ情報を再生する際の開始点とその経続時間とをその先頭の映像音声情報またはＣＭ情報の標準の再生時間を分または秒単位で表現している。
【００２０】
なお、開始点５０３と再生時間５０４とは、フレーム数で表してもよいし、相対データで表してもよいし、またバイト数で表してもよい。
なお、このＣＭ構成表付番組４０１は、編集部（図示せず）によって、有料番組を構成する映像音声情報と図６に示す番組構成表６０１とに基づいて、CM情報管理装置１０１が管理するＣＭ情報を映像音声情報の前後に挿入し、番組構成表６０１をＣＭ付番組構成表４０２に書き換えたものである。挿入されるＣＭ情報は、図７に示すＣＭ一覧表に記載されたＣＭ情報から選ばれている。この映像音声情報へのＣＭ情報の挿入は、リニア編集であってもよいし、ノンリニア編集であってもよい。
【００２１】
また、編集部は、ＣＭ構成表付番組４０１を編集すると、ＣＭ付番組構成表４０２に対応する番組構成表６０１をＣＭ構成表付番組管理部２０７に記憶させておく。
送信計数部２０３は、有料番組提供者への有料番組の使用料と広告主への広告料を計算する。そのため、有料番組の送信１回当たりの使用料と、ＣＭ情報の送信１回当たりの広告料とを記憶している。
【００２２】
送信計数部２０３は、ＣＭ構成表付番組送信部２０８が有料番組受信端末１０２等にＣＭ構成表付番組を送信する毎に、ＣＭ付番組構成表を参照して、有料番組とＣＭ情報との送信回数を計数する。
図８は、送信回数表の一例を示す図である。送信回数表８０１には、番組／ＣＭ名８０２に対応して有料番組受信端末１０２等に送信した回数８０３が記録される。
【００２３】
送信計数部２０３は、送信回数表８０１等に記録した各有料番組の送信回数と各ＣＭ情報の送信回数とを累計し、一定期間毎に、例えば、１日毎に、有料番組の使用料とＣＭ情報の広告料とを以下の計算式（１）で計算する。
使用料／広告料＝有料番組受信端末に送信した回数×１回の料金・・・（１）
図９は、この使用料又は広告料の計算結果を示す使用料／広告料の一例を示している。
【００２４】
使用料／広告料表９０１には、番組／ＣＭ名９０２に対応して、有料番組受信端末１０２等に送信した全回数９０３と１回当たりの料金９０４と使用料／広告料９０５とが記録される。
計算された使用料は、有料番組の提供者に図外の支払装置で使用料が支払われ、計算された広告料は、ＣＭ情報の広告主から図外の課金装置で徴収される。
【００２５】
なお、使用料／広告料は、有料番組受信端末１０２等へのＣＭ構成表付番組の送信を基に計算したけれども、有料番組受信端末１０２等での視聴回数を基に計算してもよい。
ＣＭ視聴履歴管理部２０４は、各有料番組受信端末１０２等毎の追加料金表を記録し、ＣＭ情報毎にＣＭが再生されないことによる広告料の割引額を計算した割引額計算表を記録する。このため、ＣＭ視聴履歴管理部２０４は、ＣＭ構成表付番組の視聴料金の追加料金の基礎になるＣＭ情報の削除１回当たりの料金と、広告料の割引額の計算の基礎になるＣＭ情報の削除１回当たりの料金とを記憶している。
【００２６】
ＣＭ視聴履歴管理部２０４は、ＣＭ構成表付番組管理部２０７からＣＭ削除の通知を受けると、各有料番組受信端末１０２等毎の追加料金表を記録する。
図１０は、ＣＭ視聴履歴管理部２０４に記録される追加料金表の一例を示す図である。
追加料金表１００１には、ＣＭ情報を削除した有料番組を再生する有料番組受信端末１０２等を特定する有料番組受信端末ＩＤ１００２と、番組名１００３と、削除するＣＭ名１００４と、削除回数１００５と、削除１回当たりの料金１００６と、計算式（２）で計算される追加料金１００７とが記録される。  有料番組受信端末ＩＤ１００２は、ＣＭ削除の通知とともにＣＭ構成表付番組管理部２０７から通知され、番組名１００３とＣＭ名１００４は、ＣＭ付番組構成表に記載されており、削除回数１００５は、ＣＭ付番組構成表から計数する。１回の料金１００６は、予め設定されたものである。計算式（２）は、
追加料金＝Σ（削除回数×１回の料金）・・・（２）
である。
【００２７】
ＣＭ視聴履歴管理部２０４は、追加料金１００７を計算式（２）を用いて計算し、追加料金表に書き込み、有料番組受信端末ＩＤ１００２と追加料金１００７とをＣＭ構成表付番組管理部２０７に通知する。ＣＭ構成表付番組管理部２０７から削除同意の通知を受けると、追加料金表１００１に記録した各ＣＭ情報の削除回数を割引額計算表（後述）の全削除回数に追加する。
【００２８】
ＣＭ構成表付番組管理部２０７から削除不同意の通知を受けると、追加料金表１００１に書き込んだ追加料金１００７に対応する行を削除する。
この追加料金１００７は、各有料番組受信端末１０２等毎に視聴料金に上乗せして課金装置（図示せず）から請求される。
図１１は、ＣＭ視聴履歴管理部２０４で記録される割引額計算表の一例を示す図である。
【００２９】
割引額計算表１１０１には、ＣＭ情報毎に削除されたＣＭ名１１０２と全削除回数１１０３と１回の料金１１０４と割引額１１０５とが記録される。ＣＭ視聴履歴管理部２０４は、ＣＭ構成表付番組管理部２０７から削除同意の通知を受けると、追加料金表１００１に記録した当該同意されたＣＭ削除に対応する削除回数１００５を全削除回数１１０３に加えて記録する。
【００３０】
ＣＭ視聴履歴管理部２０４は、所定の期間例えば、１日ごとに計算式（３）を用いてＣＭ情報毎に、割引額１１０５を計算する。計算式（３）は、
割引額＝全削除回数×１回の料金・・・（３）
ＣＭ情報の広告主には、図外の支払装置で割引額１１０５が返還される。なお、この割引額１００５は、広告料から減額され、減額された広告料が課金されることとしてもよい。
【００３１】
また、追加料金表１００１の１回の料金１００６と割引額計算表１１０１の１回の料金１１０４とを同額としているけれども、異なる料金としてもよい。
モデム２０５は、公衆回線網を介して複数の有料番組受信端末１０２等のモデム２１４と接続される。モデム２０５は、有料番組受信端末１０２から番組一覧表の送信要求を受信すると、送受信制御部２０６に当該有料番組受信端末１０２の有料番組受信端末ＩＤと番組一覧表の送信要求とを通知する。送受信制御部２０６から有料番組一覧表３０１の通知を受けると、送信要求元の有料番組受信端末１０２に公衆回線網を介して送信する。
【００３２】
モデム２０５は、有料番組受信端末１０２から番組名を含む番組要求を受信すると、送受信制御部２０６に番組要求を通知する。
また、モデム２０５は、有料番組受信端末１０２から有料番組受信端末ＩＤと番組名とともにＣＭ削除の要求を受信すると、送受信制御部２０６にその旨通知する。送受信制御部２０６から送信要求元の有料番組受信端末ＩＤと追加料金との通知を受けると、当該有料番組受信端末１０２宛に公衆回線網を介して追加料金額を送信する。
【００３３】
モデム２０５は、有料番組受信端末１０２から削除同意または削除不同意の送信を受けると、送受信制御部２０６に通知する。
モデム２０５は、送受信制御部２０６から番組構成表６０１を通知されると、ＣＭ削除の同意をした有料番組受信端末１０２に番組構成表６０１を送信する。
送受信制御部２０６は、モデム２０５から番組一覧表の送信要求を通知されると、有料番組一覧管理部２０１に有料番組一覧表３０１を要求する。有料番組一覧管理部２０１から有料番組一覧表３０１の通知を受けると、送信要求元の有料番組受信端末１０２宛に有料番組一覧表３０１を送信するようモデム２０５に通知する。
【００３４】
送受信制御部２０６は、番組名を含む番組要求をモデム２０５から通知されると、ＣＭ構成表付番組管理部２０７にその旨通知する。
送受信制御部２０６は、モデム２０５から有料番組受信端末ＩＤと番組名とともにＣＭ削除の要求の通知を受けると、ＣＭ構成表付番組管理部２０７に有料番組受信端末ＩＤと番組名とともにＣＭ削除の要求を通知する。ＣＭ構成表付番組管理部２０７からＣＭ削除による追加料金と有料番組受信端末ＩＤとの通知を受けると、モデム２０５に通知する。
【００３５】
送受信制御部２０６は、モデム２０５から削除同意または削除不同意の通知を受けると、ＣＭ構成表付番組管理部２０７にその旨通知する。ＣＭ構成表付番組管理部２０７からＣＭ情報の再生順序を省略した番組構成表６０１と有料番組受信端末ＩＤとの通知を受けると、モデム２０５にそれらを通知する。
ＣＭ構成表付番組管理部２０７は、送受信制御部２０６から番組名を含む番組要求を通知されると、ＣＭ構成表付番組サーバ２０２から当該番組名を番組名に含むＣＭ構成表付番組を読み出し、ＣＭ構成表付番組送信部２０８に通知する。
【００３６】
例えば、「映画１」の番組要求を通知されたときには、「ＣＭ付映画１」のＣＭ構成表付番組４０１を読み出し、ＣＭ構成表付番組送信部２０８に通知する。
ＣＭ構成表付番組管理部２０７は、送受信制御部２０６からＣＭ削除の通知を受けると、ＣＭ視聴履歴管理部２０４に有料番組受信端末ＩＤと番組名で特定されるＣＭ付番組構成表とともにＣＭ削除を通知する。ＣＭ視聴履歴管理部２０４から有料番組受信端末ＩＤと追加視聴料の通知を受けると、送受信制御部２０６に通知する。
【００３７】
ＣＭ構成表付番組管理部２０７は、送受信制御部２０６から有料番組受信端末ＩＤと、削除同意との通知を受けると、ＣＭ視聴履歴管理部２０４にその旨を通知するとともに、当該有料番組受信端末１０２にＣＭ付番組構成表に対応したＣＭ情報の再生順序を省略した番組構成表を送受信制御部２０６に送信するよう通知する。
【００３８】
送受信制御部２０６から削除不同意の通知を受けると、ＣＭ視聴履歴管理部２０４にその旨を通知する。
ＣＭ構成表付番組送信部２０８は、ＣＭ構成表付番組管理部２０７からＣＭ構成表付番組を通知されると、要求元の有料番組受信端末１０２のＣＭ構成表付番組受信部２１５に放送電波を通じ送信する。
【００３９】
次に有料番組受信端末１０２について説明する。
番組記憶部２１１は、ハードディスク等で構成され、ＣＭ構成表付番組受信部２１５で受信されたＣＭ構成表付番組を視聴管理部２１６を介して記憶する。
入力受付部２１２は、外部のリモコン２３１やキーボードで視聴者の操作を受け付け、操作内容を送受信制御部２１３又は視聴管理部２１６に通知する。
【００４０】
入力受付部２１２は、有料番組一覧表の要求を受け付けると、送受信制御部２１３にその旨を通知する。
また、有料番組名の選択とその有料番組の要求とを受け付けると、送受信制御部２１３にその有料番組名を通知する。
ＣＭ削除の要求を受け付けると、送受信制御部２１３にその旨を通知する。ＣＭ削除の同意又は不同意の通知を受けると、送受信制御部２１３にその旨を通知する。
【００４１】
送受信制御部２１３は、入力受付部２１２から通知された内容をモデム２１４に通知する。この際、有料番組受信端末１０２自身の有料番組受信端末ＩＤをＩＣカード２１７から読み出して同時にモデム２１４に通知する。
送受信制御部２１３は、モデム２１４から有料番組一覧表の通知を受けると、視聴管理部２１６に通知する。また、モデム２１４からＣＭ削除の追加料金額の通知を受けると、視聴管理部２１６に通知する。更に、モデム２１４から番組構成表の通知を受けると、視聴管理部２１６に通知する。
【００４２】
モデム２１４は、公衆回線網を介してCM情報管理装置１０１のモデム２０５と接続される。モデム２１４は、送受信制御部２１３から有料番組受信端末ＩＤと有料番組一覧表の要求、有料番組の要求、ＣＭ削除の要求またはＣＭ削除の同意あるいは不同意の通知を受けると、それぞれモデム２０５に送信する。
また、モデム２１４は、CM情報管理装置１０１から有料番組一覧表、ＣＭ削除の追加料金額または、番組構成表を受信すると送受信制御部２１３に通知する。
【００４３】
ＣＭ構成表付番組受信部２１５は、CM情報管理装置１０１から送信されるＣＭ構成表付番組を受信すると、視聴管理部２１６にその内容を通知する。
視聴管理部２１６は、送受信制御部２１３から有料番組一覧表またはＣＭ削除の追加料金額の通知を受けると、映像音声処理部２１８に通知する。
視聴管理部２１６は、ＣＭ構成表付番組受信部２１５からＣＭ構成表付番組の内容を通知されると、番組記憶部２１１に記憶させる。視聴管理部２１６は番組再生の指示を入力受付部２１２から通知されると、番組記憶部２１１に記憶されているＣＭ構成表付番組のＣＭ付番組構成表を読み出す。その再生順序に従い、ファイルＩＤで示される映像音声情報とＣＭ情報とをその開始点から再生時間分、番組記憶部２１１から順次読み出し、映像音声処理部２１８に通知する。
【００４４】
視聴管理部２１６は、送受信制御部２１３から番組構成表を通知されると、自身の記憶領域に番組構成表を記憶する。この番組構成表には、ＣＭ情報の再生順序が省略されている。この番組構成表を記憶している場合に、入力受付部２１２から番組再生の指示を受けると、この番組構成表の再生順序に従い、ファイルＩＤで識別される映像音声情報をその開始点から再生時間分、番組記憶部２１１から順次読み出し、映像音声処理部２１８に通知する。
【００４５】
なお、視聴管理部２１６は、映像音声情報等にスクランブルが施されている場合、ＩＣカード２１７に記録されている復号鍵を用いてデスクランブルして、映像音声処理部２１８に通知する。
ＩＣカード２１７は、CM情報管理装置１０１に有料番組一覧表等を要求する場合に有料番組受信端末１０２を認証するための有料番組受信端末ＩＤを記憶し、また、CM情報管理装置１０１から送信されてくるＣＭ構成表付番組の映像音声情報等にスクランブルが施されている場合にデスクランブルするための復号鍵を記憶している。
【００４６】
映像音声処理部２１８は、視聴管理部２１６から有料番組一覧表の通知を受けると、モニタ２３２に表示させ、リモコン２３１の操作により、視聴者に番組名の選択と、番組要求の指示をさせる。
また、視聴管理部２１６から追加料金額の通知を受けると、モニタ２３２に追加料金の表示をさせ、ＣＭ削除に同意するか不同意であるかを同様に視聴者に選択させる。
【００４７】
映像音声処理部２１８は、視聴管理部２１６から通知される有料番組の映像音声情報とＣＭ情報とをまたは映像音声情報だけを外部のモニタ２３２に出力する。
次に、本実施の形態の動作をCM情報管理装置１０２と有料番組受信端末１０１とのシーケンス図（図１２）を用いて説明する。
【００４８】
先ず、有料番組受信端末１０２において、視聴者は、リモコン２３１を操作し、これを入力受付部２１２で受信し、モデム２１４は、CM情報管理装置１０１に有料番組一覧表を要求する（Ｓ１２０２）。
CM情報管理装置１０１において、モデム２０５は、これを受信し、有料番組一覧管理部２０１は、有料番組一覧表３０１を読み出す（Ｓ１２０４）。
【００４９】
モデム２０５は、送受信制御部２０６を介して通知された有料番組一覧表３０１を有料番組受信端末１０２に送信する（Ｓ１２０６）。
有料番組受信端末１０２のモデム２１４はこれを受信し、映像音声処理部２１８は、送受信制御部２１３、視聴管理部２１６を介して有料番組一覧表３０１の通知を受け、モニタ２３２に表示させる（Ｓ１２０８）。
【００５０】
視聴者は、リモコン２３１でこの有料番組一覧表３０１から「映画１」を選択すると、入力受付部２１２、送受信制御部２１３を介してこれを通知されたモデム２１４は、「映画１」をCM情報管理装置１０１に要求する（Ｓ１２１０）。
CM情報管理装置１０１において、この有料番組の要求をモデム２０５、送受信制御部２０６を介して通知されたＣＭ構成表付番組管理部２０７は、ＣＭ構成表付番組サーバ２０２に記憶されている「ＣＭ付映画１」のＣＭ構成表付番組４０１を読み出し、ＣＭ構成表付番組送信部２０８に通知する（Ｓ１２１２）。ＣＭ構成表付番組送信部２０８は、放送電波を通じて、有料番組受信端末１０２にＣＭ構成表付番組４０１を送信する（Ｓ１２１４）。
【００５１】
有料番組受信端末１０２のＣＭ構成表付番組受信部２１５は、これを受信し、ＣＭ構成表付番組４０１は、視聴管理部２１６を介して番組記憶部２１１に記憶される。視聴管理部２１６は、視聴者からの再生指示を入力受付部２１２を介して通知されると、ＣＭ付番組構成表４０２に従い、ファイルＩＤで識別される映像音声情報またはＣＭ情報を再生順序に番組記憶部２１１から読み出し、映像音声処理部２１８に通知する。映像音声処理部２１８はＣＭの挿入された映像と音声とをモニタ２３２に出力する（Ｓ１２１６）。
【００５２】
視聴者は、この有料番組を気に入り、ＣＭ削除の状態で有料番組だけを視聴したいと思うと、リモコン２３１を操作してＣＭ削除を要求する。入力受付部２１２は、この信号を受け、モデム２１４は、ＣＭ削除要求をCM情報管理装置１０１に要求する（Ｓ１２１８）。
CM情報管理装置１０１において、モデム２０５，送受信制御部２０６を介してＣＭ削除要求を通知されたＣＭ構成表付番組管理部２０７は、「ＣＭ付映画１」のＣＭ付番組構成表４０２をＣＭ視聴履歴管理部２０４に通知する。ＣＭ視聴履歴管理部２０４では、ＣＭ削除による視聴料の追加料金表１００１を作成する（Ｓ１２２０）。モデム２０５は、追加料金表１００１で計算された追加料金額をＣＭ構成表付番組管理部２０７，送受信制御部２０６を介して通知されると、有料番組受信端末１０２に送信する（Ｓ１２２２）。
【００５３】
有料番組受信端末１０２では、追加料金額を受信し、モニタ２３２に映像音声処理部２１８によって追加料金を表示させる（Ｓ１２２４）。視聴者がこの料金をみて、ＣＭ削除に同意するか又は同意しないかをリモコン操作で入力受付部２１２に通知する。モデム２１４は、ＣＭ削除に同意又は不同意をCM情報管理装置１０１に送信する（Ｓ１２２６）。
【００５４】
CM情報管理装置１０１では、同意を受信すると、ＣＭ構成表付番組管理部２０７は、ＣＭ付番組構成表４０２に対応する番組構成表６０１をモデム２０５に送受信制御部２０６を介して通知する（Ｓ１２２８）。モデム２０５は、有料番組受信端末１０２に番組構成表６０１を送信する（Ｓ１２３０）。
有料番組受信端末１０２の視聴管理部２１６は、モデム２１４、送受信制御部２１３を介して番組構成表６０１の通知を受け、視聴者からの再生指示を受けたときには、番組構成表６０１の再生順序に従い、ファイルＩＤで識別される有料番組の映像音声情報を番組記憶部２１１から読み出し、映像音声処理部２１８に通知する。映像音声処理部２１８は、モニタ２３２に映像音声を出力する（Ｓ１２３２）。
【００５５】
以上のように、本実施の形態では、ＣＭ情報を削除した有料番組だけを見たいと考える視聴者に対して、有料番組受信端末１０２にＣＭ情報の再生順序が省略された番組構成表６０１だけを送付することによって、改めて番組構成表の付加した有料番組を送信することなく、有料番組の映像音声情報だけを再生することが可能となり、視聴者の要求に応えることができる。
【００５６】
また、ＣＭ削除による視聴者への追加料金の計算や、ＣＭ削除による広告主の宣伝機会の喪失に対する広告料の割引額の計算もでき、それぞれ課金や支払をすることが可能となる。
なお、上記実施の形態では、CM情報管理装置１０１において、ＣＭ付有料番組とＣＭ付番組構成表とからなるＣＭ構成表付有料番組は、ＣＭ構成表付番組サーバ２０２に予め記憶されているものとして説明したけれども、有料番組受信端末１０２から番組名の指定を受けたとき、有料番組提供者１０３の有する番組提供装置からその有料番組とその番組構成表との提供を受け、ＣＭ情報を有料番組に挿入し、ＣＭ構成表を生成して、有料番組受信端末１０２に送信するようにしてもよい。
また、本実施の形態では、CM情報管理装置１０１において、視聴料の追加料金を計算し、有料番組受信端末１０２にその追加料金額を送信することとしたけれども、有料番組受信端末１０２でも、視聴料の追加料金を計算できるようにしてもよい。
この場合、CM情報管理装置１０１は、CM構成表付番組４０１の送信とともに、図１０に示したような追加料金表１００１から有料番組受信端末ID欄１００２が削除され、削除回数欄１００５と追加料金欄１００７とが空欄の追加料金表を送信する。
有料番組受信端末１０２の視聴管理部２１６は、この追加料金表を記憶し、入力受付部２１２から削除するCM名の通知を受けると、削除回数を記録し、式（２）に従い、追加料金を計算する。計算した追加料金を映像音声処理部２１８に通知する。映像音声処理部２１８は、モニタ２３２に追加料金を表示させる。
このようにすれば、視聴者は、CM情報管理装置１０１から追加料金額の送信を受けなくても、視聴料の追加料金を知ることができる。
また、上記実施の形態では、ＣＭ付有料番組とＣＭ付番組構成表とを一体としたＣＭ構成表付有料番組としてＣＭ構成表付番組サーバ２０２に記憶されているとしたけれども、ＣＭ付有料番組とＣＭ付有料番組構成表とが別々に記憶されていてもよい。
【００５７】
（実施の形態２）
次に、本発明に係る有料番組送受信システムの実施の形態２について説明する。
本実施の形態は、上記実施の形態１と視聴者が支払うＣＭ削除による追加料金の計算方法が異なるのみであるので、上記実施の形態１の構成図（図２）を用いて、本実施の形態固有の構成について説明する。
【００５８】
有料番組受信端末１０２の視聴管理部２１６は、ＣＭ構成表付番組４０１のＣＭ１情報４０４，ＣＭ２情報４０６を映像音声処理部２１８に通知したとき、そのＣＭ名ごとにその回数（視聴回数とみなす。）を計数する。
入力受付部２１２は、リモコン２３１からＣＭ削除の要求信号を受け付けると、送受信制御部２１３とともに視聴管理部２１６にもその旨を通知する。視聴管理部２１６は、ＣＭ削除の要求を通知されると、ＣＭ名とその視聴回数とを送受信制御部２１３に通知する。送受信制御部２１３は、ＣＭ削除の要求にＣＭ名とその視聴回数とを含めて、モデム２１４に通知する。
【００５９】
CM情報管理装置１０１のＣＭ視聴履歴管理部２０４は、割引追加料金表を記録する。
図１３は割引追加料金表の一例を示す図である。割引追加料金表１３０１は、上記実施の形態１の追加料金表１００１と比べて、ＣＭの視聴回数１３０２と１回の割引料１３０３とが記録されていることが異なる。
【００６０】
ＣＭ視聴履歴管理部２０４は、予め設定されたＣＭの視聴１回当たりの割引料１３０３を記憶している。ＣＭの視聴回数１３０２は、ＣＭ削除とともにＣＭ構成表付番組管理部２０７から通知される。
ＣＭ視聴履歴管理部２０４は、割引追加料金１３０４を計算式（４）によって計算する。
【００６１】
割引追加料金＝Σ（削除回数×１回の料金）−Σ（視聴回数×１回の割引料）・・・（４）
有料番組受信端末１０２の映像音声処理部２１８は、視聴管理部２１６から割引追加料金１３０４の通知を受けると、図１４に示すように外部のモニタ２３２に表示させる。
【００６２】
表示画面１４０１には、通知された割引追加料金「４８６」円１４０２とＣＭ削除開始（同意）ボタン１４０３と取消（不同意）ボタン１４０４とが表示されている。視聴者は、この割引追加料金１４０２でＣＭ削除に同意するときはＣＭ削除開始ボタン１４０３を、ＣＭ削除に不同意のときは取消ボタン１４０４をリモコン２３１でそれぞれ選択する。
【００６３】
このように、本実施の形態では、視聴者がＣＭ削除を要求する際、ＣＭ削除にかかる追加料金を視聴者が視聴したＣＭ数に応じて割り引くことで、ＣＭ構成表付番組を一旦取得し、気に入った場合にＣＭの挿入されていない有料番組を視聴する際、初めからＣＭの削除された有料番組を視聴するよりも追加料金を安価に設定でき、視聴者のＣＭ視聴を促進できる。
なお、本実施の形態では、割引追加料金をCM情報管理装置１０１のCM視聴履歴管理部２０４で計算したけれども、有料番組受信端末１０２でも計算するようにしてもよい。
この場合には、割引追加料金表１３０１（図１３）の有料番組受信端末ID欄１００２の削除された割引追加料金表をCM情報管理装置１０１から有料番組受信端末１０２にCM構成表付番組とともに送信する。この際、割引追加料金表１３０１の削除回数欄１００５と視聴回数欄１３０２と割引追加料金欄１３０４とは空欄である。
有料番組受信端末１０２の視聴管理部２１６は、視聴回数欄１３０２にCM名に対応したCMの視聴回数を計数して記録し、入力受付部２１２から削除するCM名の通知を受け、削除回数を記録する。割引追加料金は、式（４）に従い計算する。計算した割引追加料金を映像音声処理部２１８に通知する。
映像音声処理部２１８は、モニタ２３２に割引追加料金を表示させる。
このようにすれば、視聴者は、CM情報管理装置１０１から割引追加料金額の送信を受けなくても、視聴料の割引追加料金を知ることができる。
【００６４】
（実施の形態３）
次に、本発明に係る有料番組送受信システムの実施の形態３について説明する。
本実施の形態は、上記実施の形態１と有料番組受信端末で削除するＣＭを選択できようにしていることが異なるのみであるので、上記実施の形態１の構成図（図２）を用いて、本実施の形態固有の構成について説明する。
【００６５】
ＣＭ視聴履歴管理部２０４は、ＣＭ付番組構成表と削除ＣＭ名との通知をＣＭ構成表付番組管理部２０７からされると、追加料金表を作成する。また、ＣＭ構成表付番組管理部２０７からＣＭ選択削除に同意の通知を受けると、追加料金表に記録したＣＭ名の削除回数を割引額計算表の全削除回数に追加する。  なお、実施の形態１と異なり、追加料金をＣＭ構成表付番組管理部２０７には通知しない。
【００６６】
ＣＭ構成表付番組管理部２０７は、ＣＭ選択削除の要求を通知されると、ＣＭ視聴履歴管理部２０４に記憶されている当該ＣＭ構成表付番組に含まれるＣＭ削除の１回当たりの料金を読み出し、送受信制御部２０６を介してモデム２０５に通知する。
また、ＣＭ構成表付番組管理部２０７は、送受信制御部２０６から選択された削除ＣＭ名の通知を受けると、ＣＭ視聴履歴管理部２０４にＣＭ付番組構成表とともに削除ＣＭ名を通知する。
【００６７】
更に、ＣＭ選択削除の同意を通知されると、ＣＭ付番組構成表から選択通知を受けているＣＭ名のＣＭ情報の再生順序を省略したＣＭ付番組構成表を作成し、送受信制御部２０６を介してモデム２０５に通知するとともに、ＣＭ選択削除の同意をＣＭ視聴履歴管理部２０４に通知する。
なお、ＣＭ構成表付番組のＣＭ付番組構成表には、図５に示したＣＭ付番組構成表に備考欄を設け、ＣＭ情報の内容が視聴者に分かるようなコメントを付加しておく。
【００６８】
図１５は、ＣＭ付番組構成表の一例である。ＣＭ付番組構成表１５０１では、ＣＭ情報に対応し、備考１５０２としてＣＭの内容が記録されている。
有料番組受信端末１０２の入力受付部２１２は、ＣＭ選択削除の要求を受け付けると、送受信制御部２１３にこの旨を通知する。また、削除するＣＭ名の選択を受けると、送受信制御部２１３と視聴管理部２１６とに通知する。
【００６９】
送受信制御部２１３は、ＣＭ選択削除の要求や削除するＣＭ名の通知を受けると、モデム２１４に通知する。
モデム２１４は、送受信制御部２１３から通知された旨をCM情報管理装置１０１に送信する。
モデム２１４は、CM情報管理装置１０１からＣＭ削除の１回当たりの追加料金額の送信を受信すると、送受信制御部２１３を介して視聴管理部２１６に通知する。
【００７０】
視聴管理部２１６は、ＣＭ名と１回当たりの追加料金とを映像音声処理部２１８に通知する。この際、番組記憶部２１１に記憶されているＣＭ付番組構成表１５０１を読み出し、備考１５０２に記載された内容を併せて通知する。
入力受付部２１２から送受信制御部２１３を介して削除するＣＭ名の通知を受けると、当該ＣＭの削除回数をＣＭ付番組構成表１５０１を見て計数し、追加料金額を計算式（５）を用いて計算し、ＣＭ名と、計算結果とを映像音声処理部２１８に通知する。
【００７１】
追加料金＝Σ（選択されたＣＭの１回の料金×削除回数）…（５）
なお、この計算と同様の計算は、CM情報管理装置のＣＭ視聴履歴管理部２０４でも行われている。
映像音声処理部２１８は、視聴管理部２１６からＣＭ名と１回の料金と、備考１５０２との通知を受けると、外部のモニタ２３２に削除ＣＭ選択画面を表示させる。また、選択したＣＭ名の通知と追加料金額との通知を受けると、削除ＣＭ選択画面のチェックボックス等に表示させる。
【００７２】
図１６は、削除ＣＭ選択画面の一例を示す図である。
削除ＣＭ選択画面１６０１には、ＣＭ名１６０２，１６０３と削除１回の料金１６０４，１６０５とＣＭの内容１６０６，１６０７とそれらの選択をするためのチェックボックス１６０８，１６０９が表示されている。更に、チェックボックス１６０８，１６０９に選択されたＣＭであることを表示したときには、通知された追加料金額１６１０を表示する。
【００７３】
また削除ＣＭ選択画面１６０１には、ＣＭ削除開始（同意）ボタン１６１１と取消（不同意）ボタン１６１２とが表示されている。
このように、本実施の形態では、視聴者は、ＣＭを削除要求する際に、ＣＭ削除に係る追加料金を参照しつつ削除するＣＭを選択できるので、一部のＣＭを残して有料番組を廉価に見ることができる。
【００７４】
（実施の形態４）
次に、本発明に係る有料番組送受信システムの実施の形態４について説明する。
本実施の形態では、上記実施の形態１〜３と異なり、ＣＭ削除後の番組構成表をCM情報管理装置１０１から有料番組受信端末１０２に送信することを省略できるようにしている。
【００７５】
このような構成のため、ＣＭ削除の同意の通知を受けたＣＭ構成表付番組管理部２０７は、その旨をＣＭ視聴履歴管理部２０４に通知するだけであり、ＣＭ削除をした番組構成表を有料番組受信端末１０２に送信することはない。
このため、ＣＭ付番組構成表１７０１は、図１７に示すように、実施の形態１のＣＭ付番組構成表４０２（図５）の内容にＣＭ判定欄１７０２と削除ＣＭ判定欄１７０３とが設けられている。
【００７６】
ＣＭ判定欄１７０２は、この行のファイルで識別されるＣＭ付映画１の構成要素がＣＭ情報であるか映像音声情報であるか否かを示しており、「〇」印がＣＭ情報を示している。
削除ＣＭ判定欄１７０３は、ＣＭ情報の内、視聴者の選択によって、削除されたＣＭであるか否かを示しており、「〇」印が削除済みＣＭ情報であることを示している。
【００７７】
ＣＭ構成表付番組サーバ２０２には、ＣＭ付番組構成表１７０１とＣＭ情報の挿入された有料番組の映像音声情報とからなるＣＭ構成表付番組が記憶されている。
ＣＭ構成表付番組管理部２０７は、番組名の指定された番組要求を送受信制御部２０６から通知されると、このＣＭ付番組構成表１７０１を含むＣＭ構成表付番組を読み出し、ＣＭ構成表付番組送信部２０８に通知する。ＣＭ構成表付番組送信部２０８が要求元の有料番組受信端末１０２に放送電波を通じてこれを送信する。
【００７８】
ＣＭ構成表付番組受信部２１５は、これを受信し、視聴管理部２１６が番組記憶部２１１に記憶させる。
なお、番組記憶部２１１にＣＭ構成表付番組が記憶されたとき、ＣＭ付番組構成表１７０１の削除ＣＭ判定欄１７０３の初期状態は、ＣＭ判定欄１７０２の「〇」印に対応して「×」印が記録されており、未削除のＣＭ情報であることを示しており、「×」印に対応して「−」印が記録され、判定対象外であることを示している。
【００７９】
また、番組構成表１７０１には、実施の形態３で説明した備考欄１５０２（図１５）が設けられてもよい。ＣＭ情報の内容を提示してＣＭ削除の選択の参考にすることができる。
視聴者は、実施の形態３と同じように、削除ＣＭ選択画面１６０１をモニタ２３２に表示させ、削除するＣＭを選択してもよいし、実施の形態１と同じようにＣＭ削除の要求をしてもよい。この際、視聴管理部２１６は、番組記憶部２１１に記憶されている番組構成表１７０１に記録されている削除を選択したＣＭ情報をファイルＩＤ（ＣＭ名）で特定して送受信制御部２１３に通知する。モデム２１４は、これを受け、ＣＭ削除要求とともに、ＣＭ名をCM情報管理装置１０１に送信する。
【００８０】
また、視聴管理部２１６は、CM情報管理装置１０１のＣＭ視聴履歴管理部２０４で計算された追加料金の通知を受けると、映像音声処理部２１８に通知し、モニタ２３２に表示させる。
ＣＭ削除に同意又は不同意の通知を入力受付部２１２から受けると、その旨、送受信制御部２１３を介してモデム２１４に通知する。モデム２１４は、その旨をCM情報管理装置に送信する。
【００８１】
視聴管理部２１６は、CM情報管理装置１０１のＣＭ視聴履歴管理部２０４でＣＭ削除の同意を通知されたことを返信されると、即ち、実施の形態１のシーケンス図（図１２）のＳ１２３０の番組構成表の送信に替えて、ＣＭ削除の同意を通知されたことを有料番組受信端末１０２に送信する。
視聴管理部２１６は、これを受け、番組記憶部２１１に記憶されているＣＭ構成表付番組のＣＭ付番組構成表１７０１を自身の記憶領域に記憶し、選択された削除ＣＭの削除ＣＭ判定欄１７０３を「×」印から「〇」印に更新する。
【００８２】
ＣＭ付番組構成表１７０１は、ファイルＩＤ５０２がＣＭ２であるＣＭ情報の削除が選択された場合を示している。削除ＣＭ判定欄１７０３に「〇」印が記録されている。
視聴管理部２１６は、自身の記憶領域にＣＭ付番組構成表１７０１を記憶している場合に、その再生指示を受けると、ＣＭ付番組構成表１７０１の再生順序の順に番組記憶部２１１に記憶されているファイルＩＤで識別される映像音声情報とＣＭ情報とを読み出し、映像音声処理部２１８に通知する。この際、削除ＣＭ判定欄１７０３に「〇」印の記録された構成要素については、その読み出しを省略する。
【００８３】
この有料番組受信端末１０２におけるＣＭ構成表付番組の再生動作について、図１８のフローチャートを用いて説明する。
視聴管理部２１６は、再生指示を受けると、カウンタｉを「０」にして初期化する（Ｓ１８０２）。次に、カウンタｉに「１」を加える（Ｓ１８０４）。ＣＭ付番組構成表１７０１にｉ番目の構成要素は存在するか否かを判定する（Ｓ１８０６）。存在するときには、そのファイルＩＤで特定される構成要素の削除ＣＭ判定欄１７０３に「〇」印が記録されているか否か、即ち、削除済みＣＭであるか否かを判定する（Ｓ１８０８）。削除済みＣＭであれば、Ｓ１８０４に戻る。削除済みＣＭでなければ、ファイルＩＤで識別される映像音声情報またはＣＭ情報を番組記憶部２１１からその開始点を先頭に再生時間分読み出し、映像音声処理部２１８に通知する。映像音声処理部２１８は、外部のモニタ２３２に有料番組を再生出力し（Ｓ１８１０）、Ｓ１８０４に戻る。Ｓ１８０６において、ｉ番目の構成要素が存在しなければ、処理を終了する。
【００８４】
本実施の形態によれば、ＣＭ付番組構成表１７０１に削除ＣＭ判定欄１７０３を設け、この削除ＣＭである記録に基づいてＣＭ構成表付番組の再生をするようにして、CM情報管理装置１０１から有料番組受信端末１０２への番組構成表の送信を省略できるようにしているので、番組構成表取得のための負担を軽減することができる。
【００８５】
（実施の形態５）
次に、本発明に係る有料番組送受信システムの実施の形態５について説明する。
図１９は、本実施の形態５の構成図である。本実施の形態では、上記実施の形態４の構成図（図２）に広告主側装置が追加されている。
【００８６】
広告主側装置１０４は、モデム１９０１と管理部１９０２とを備え、モデム１９０１は、公衆回線網、インターネットを介して有料番組受信端末１０２のモデム２１４と接続され、同様にCM情報管理装置１０１のモデム２０５と接続される。
視聴者は、有料番組受信端末１０２から広告主のホームページを開設する広告主側装置１０４にアクセスし、ホームページ上でＣＭ製品の購入要請をする。この際、有料番組受信端末ＩＤとＣＭ構成表付番組の番組名とをモデム２１４からモデム１９０１に送信する。
【００８７】
管理部１９０２は、モデム１９０１からこれを受け、購入要請をされたＣＭ製品のＣＭ名と有料番組受信端末ＩＤとＣＭ構成表付番組の番組名とをCM情報管理装置１０１のモデム２０５に送信するようモデム１９０１に通知する。
モデム１９０１は、ＣＭ名と有料番組受信端末ＩＤとＣＭ構成表付番組の番組名とをＣＭ情報の削除要請としてモデム２０５に送信する。
【００８８】
ＣＭ構成表付番組管理部２０７は、送受信制御部２０６を介してＣＭ情報の削除要請の通知を受けると、送受信制御部２０６、モデム２０５を介して、指定された有料番組受信端末ＩＤの有料番組受信端末１０２に削除許可するＣＭ名と番組名とを送信する。
視聴管理部２１６は、モデム２１４，送受信制御部２１３を介してこれを通知されると、ＣＭ構成表付番組のＣＭ付番組構成表１７０１を読み出して記憶領域に記憶し、削除許可されたＣＭの削除ＣＭ判定欄１７０３の「×」印を「〇」印に更新する。
【００８９】
次に、有料番組受信端末１０２と広告主側装置１０４とCM情報管理装置１０１との動作を図２０に示すシーケンス図を用いて説明する。
有料番組受信端末１０２は、広告主側装置１０４が開設するホームページでＣＭ製品の購入要請をする（Ｓ２００２）。広告主側装置１０４は、ＣＭ製品の購入要請を受け（Ｓ２００４）、CM情報管理装置１０１に、ＣＭ構成表付番組から購入されたＣＭ製品のＣＭ削除の要請をする（Ｓ２００６）。
【００９０】
CM情報管理装置１０１は、ＣＭ製品を購入した有料番組受信端末１０２宛に、ＣＭ削除の許可を送信する（Ｓ２０１０）。
有料番組受信端末１０２では、許可されたＣＭのＣＭ付番組構成表１７０１の削除ＣＭ判定欄１７０３を「〇」印に更新する（Ｓ２０１２）。
なお、本実施の形態では、視聴者が広告主側装置１０４が開設するホームページ上でＣＭ製品の購入要請することとしたけれども、例えば、広告主の販売代理店でＣＭ製品を購入する際、視聴者の有料番組受信端末ＩＤとＣＭ構成表付番組の番組名とを伝え、販売代理店がその情報をCM情報管理装置に送信するようにしてもよい。
【００９１】
本実施の形態では、視聴者がＣＭ製品を購入した際、そのＣＭをＣＭ構成表付番組から削除するサービスを提供することで、視聴者のＣＭ製品の購入意欲を促進することができる。
（実施の形態６）
次に、本発明に係る有料番組送受信システムの実施の形態６について説明する。
【００９２】
図２１は、本実施の形態の構成図である。この有料番組送受信システムは、CM情報管理装置１０１と、有料番組受信端末２１０１と、映像音声ファイル装置２１１１とから構成される。
有料番組受信端末２１０１は、上記実施の形態１の有料番組受信端末１０２の構成に加えて、映像音声ファイル転送要求送信部２１０２と、映像音声ファイル受信部２１０３とを備えている。
【００９３】
映像音声ファイル装置２１１１は、映像音声ファイルサーバ２１１２と、映像音声ファイル転送要求受信部２１１３と、映像音声ファイル管理部２１１４と、映像音声ファイル送信部２１１５とを備えている。
上記実施の形態１と同様の構成部分には同一の符号を付し、その説明を省略し、本実施の形態固有の構成部分について説明する。
【００９４】
本実施の形態において、ＣＭ構成表付番組は、ＣＭ情報の挿入時に有料番組を構成する一部の映像音声情報をカットしたものとなっている。
図２２は、有料番組の番組構成表の一例を示す図である。この番組構成表２２０１によれば、有料番組「映画１」は、ファイルＩＤ「ＣＵＴ１」、「ＣＵＴ２」、「ＣＵＴ３」、「ＣＵＴ４」・・・で識別される映像音声情報から構成されている。
【００９５】
ＣＭ構成表付番組サーバ２０２には、このうちファイルＩＤ「ＣＵＴ３」で識別される映像音声情報をカットしてＣＭ情報を挿入したＣＭ構成表付番組を記憶している。このＣＭ構成表付番組は、図２３のＣＭ付番組構成表２３０１に示すように、映像音声情報「ＣＵＴ３」をカットし、ＣＭ１情報、ＣＭ２情報が挿入されている。
【００９６】
ＣＭ構成表付番組管理部２０７は、このように有料番組の映像音声情報をカットしたとき、この映像音声情報の取得先をファイルＩＤに替えて記録したノーカット版番組構成表を記憶している。
図２４は、このノーカット版番組構成表の一例を示す図である。ノーカット版番組構成表２４０１の再生順序の３番目２４０２には、ファイルＩＤ「ＣＵＴ３」で識別される映像音声情報が記憶されているインターネット上のＵＲＬ「http://・・・/・・・」がファイルＩＤ２４０３に記録されている。
【００９７】
ＣＭ構成表付番組管理部２０７は、有料番組受信端末１０２からＣＭ削除に同意する旨の通知を送受信制御部２０６から受けると、ＣＭ視聴履歴管理部２０４にその旨通知するとともに、記憶しているノーカット版番組構成表２４０１を有料番組受信端末１０２に送信するよう送受信制御部２０６を介してモデム２０５に通知する。
【００９８】
視聴管理部２１６は、モデム２１４，送受信制御部２１３を介して、ノーカット版番組構成表２４０１を通知されると、ファイルＩＤ２４０３に記録されているＵＲＬを映像音声ファイル転送要求送信部２１０２に通知し、映像音声情報を転送要求するよう指示する。
視聴管理部２１６は、映像音声ファイル受信部２１０３から転送要求した映像音声情報を通知されると、そのファイルＩＤを読み出し、ノーカット版番組構成表２４０１のファイルＩＤ２４０３のＵＲＬを読み出したファイルＩＤに更新し、記憶領域に記憶するとともに、映像音声情報を番組記憶部２１１に記憶させる。
【００９９】
視聴管理部２１６では、最初にＣＭ構成表付番組の通知を受けたとき、そのＣＭ付番組構成表２３０１に従いＣＭ情報の挿入された有料番組を読み出す。次に、ノーカット版番組構成表２４０１の通知を受け、ファイルＩＤ「ＣＵＴ３」の映像音声情報を取得して、番組構成表２２０１を記憶することになる。
映像音声ファイル転送要求送信部２１０２は、視聴管理部２１６から転送要求の指示を受けると、通知されたＵＲＬの映像音声ファイル装置２１１１に映像音声情報の転送要求をインターネットを介して送信する。
【０１００】
映像音声ファイル受信部２１０３は、映像音声ファイル装置２１１１から転送要求した映像音声情報を受信すると、視聴管理部２１６に通知する。
映像音声ファイル装置２１１１は、インターネット上の所定のＵＲＬで特定される。
映像音声ファイルサーバ２１１２は、ハードディスク等からなり、有料番組のカットされた映像音声情報を記憶している。
【０１０１】
映像音声ファイル転送要求受信部２１１３は、有料番組受信端末２１０１等から映像音声情報の転送要求の通知を受信すると、映像音声ファイル管理部２１１４にその旨を通知する。
映像音声ファイル管理部２１１４は、映像音声ファイル転送要求受信部２１１３から転送要求を通知されると、通知された映像音声情報のファイルを映像音声ファイルサーバ２１１２から読み出し、映像音声ファイル送信部２１１５に通知する。
【０１０２】
映像音声ファイル送信部２１１５は、映像音声ファイル管理部２１１４から映像音声情報の通知を受けると、転送要求元の有料番組受信端末２１０１等に映像音声情報を送信する。
次に、本実施の形態の動作を図２５に示すシーケンス図を用いて説明する。
なお、Ｓ１２２６までは、本実施の形態１と同様であるので、その説明を省略する。
【０１０３】
Ｓ２５０２において、CM情報管理装置のＣＭ構成表付番組管理部２０７は、ＣＭ削除の同意を通知されると、その旨をＣＭ視聴履歴管理部２０４に通知するとともに、ノーカット版番組構成表２４０１を送受信制御部２０６を介してモデム２０５に通知し、ＣＭ削除の要求元の有料番組受信端末２１０１に送信するよう通知する。
【０１０４】
モデム２０５は、有料番組受信端末２１０１にノーカット版番組構成表２４０１を送信する（Ｓ２５０４）。
有料番組受信端末２１０１の視聴管理部２１６は、ノーカット版番組構成表２４０１中のファイルＩＤ２４０３にＵＲＬが記録されている映像音声情報を取得するため、映像音声ファイル転送要求送信部２１０２にそのＵＲＬの通知と転送要求の指示をする（Ｓ２５０６）。
【０１０５】
映像音声ファイル転送要求送信部２１０２は、ＵＲＬで特定される映像音声ファイル装置２１１１に映像音声情報の転送要求を送信する（Ｓ２５０８）。
映像音声ファイル転送要求を受信した映像音声ファイル転送要求受信部２１１３は、映像音声ファイル管理部２１１４にその旨を通知する。映像音声ファイル管理部２１１４は、指定された映像音声情報のファイルを映像音声ファイルサーバ２１１２から読み出し、映像音声ファイル送信部２１１５に通知する（Ｓ２５１０）。
【０１０６】
映像音声ファイル送信部２１１５は、通知された映像音声情報のファイルを要求元の有料番組受信端末２１０１に送信する（Ｓ２５１２）。
有料番組受信端末２１０１の映像音声ファイル受信部２１０３は、映像音声情報のファイルを受信し、視聴管理部２１６は、映像音声情報を番組記憶部２１１に記憶させ、ノーカット版番組構成表２４０１を番組構成表２２０１に更新する（Ｓ２５１４）。
【０１０７】
本実施の形態では、有料番組にＣＭ情報を挿入する際、いくつかのシーンがカットされていても、視聴者がそのＣＭ構成表付番組からＣＭの削除要求をすると、ＣＭの再生順序を省略したノーカット版番組構成表２４０１を取得し、カットされたシーンをインターネットを介して映像音声ファイル装置２１１１から取得することによって、ノーカット版の有料番組を視聴することが可能となる。再度、有料番組の全てを取得する必要がないので、視聴者の負担を軽減することができる。
【０１０８】
（実施の形態７）
次に、本発明に係る有料番組送受信システムの実施の形態７について説明する。上記実施の形態６では、カットされた映像音声ファイル装置２１１１から取得するようにしていたけれども、本実施の形態では、カットされた映像音声情報もＣＭ構成表付番組に含めて有料番組受信端末１０２で最初から取得し、番組記憶部２１１に記憶しておき、ＣＭ削除がされれば、すぐにノーカット版の有料番組を視聴できるようにしている。
【０１０９】
なお、実施の形態１と同様の構成図（図２）を用いて説明する。
図２６は、CM情報管理装置１０１から送信されるＣＭ構成表付番組のＣＭ付番組構成表の一例を示す図である。
ＣＭ付番組構成表２６０１は、ＣＭ付番組構成表１７０１の削除ＣＭ欄１７０３に替えて要カット判定欄２６０２が設けられている。要カット判定欄２６０２に「〇」印が記録されたファイルＩＤ５０２で識別される映像音声情報のファイルは、再生がカットされることを示している。
【０１１０】
CM情報管理装置１０１のＣＭ構成表付番組管理部２０７は、上記実施の形態６のＳ２５０２において、ノーカット版番組構成表の送信指示に替えて、ＣＭ削除同意を受信した旨の送信を送受信制御部２０６を介してモデム２０５に通知する。モデム２０５は、ＣＭ削除同意を受信した旨を有料番組受信端末１０２に送信する。
【０１１１】
視聴管理部２１６は、ＣＭ削除同意を受信した旨の通知をモデム２１４，送受信制御部２１６を介して通知されると、ＣＭ付番組構成表２６０１のＣＭ判定欄１７０２に「〇」印の付された削除ＣＭの行を省略し、要カット判定欄２６０２に「〇」印の記録されている映像音声情報を「×」印に更新する。これによって、ＣＭ付番組構成表２６０１は、有料番組の映像音声情報のカットされないノ−カット版の番組構成表となり、これを自身の記憶領域に記憶しておく。
【０１１２】
本実施の形態の有料番組受信端末１０２でのＣＭ構成表付番組又は有料番組の再生動作を図２７のフローチャートを用いて説明する。
先ず、視聴管理部２１６は、入力受付部２１２から再生指示の通知を受けると、カウンタｉに初期値「０」を設定し（Ｓ２７０２）、次にカウンタｉに「１」を加える（Ｓ２７０４）。ＣＭ付番組構成表２６０１又は番組構成表のｉ番目の構成要素は存在するか否かを判定する（Ｓ２７０６）。存在するときには、要カット判定欄２６０２に「〇」印が記録されているか否かを判定し、否のときには、番組記憶部２１１から当該構成要素の開始点から再生時間分読み出し、映像音声処理部２１８に通知する。映像音声処理部２１８はモニタ２３２に出力する（Ｓ２７１０）。
【０１１３】
Ｓ２７０８において「〇」印が記録されていれば、Ｓ２７０４に戻る。
Ｓ２７０６でｉ番目の構成要素が存在しなければ、処理を終了する。
本実施の形態では、ＣＭ付番組構成表２６０１に要カット判定欄２６０２を設けて、最初のＣＭ構成表付番組の送信時にはカットする映像音声情報の要カット判定欄２６０２に「〇」印を記録しておき、ＣＭ削除時に「〇」印を「×」印にすることによって、ノーカット版番組構成表を生成できることとしている。
【０１１４】
（実施の形態８）
本実施の形態８では、有料番組を構成するいくつかの映像音声情報がＣＭ情報の挿入によりカットされている場合に、ＣＭ情報を削除した際にカットされたシーンの復元に優先度を付し、削除ＣＭの選択を可能とするものである。
本実施の形態は、上記実施の形態の形態３と上記実施の形態７とを組合わせたものである。
【０１１５】
図２８は、本実施の形態８でＣＭ構成表付番組に含めて送信されるＣＭ付番組構成表の一例を示す図である。
ＣＭ付番組構成表２８０１には、復元優先度欄２８０２が設けられている。復元優先度欄２８０２には、ＣＭ情報が削除されないときカットされる映像音声情報に数値が記録されている。即ち、要カット判定欄２６０２に「〇」印が記録されている映像音声情報に復元優先度を記録したものである。この復元優先度は、ＣＭ情報が１つ削除されるとその数値がそれぞれ「１」減算され、「０」になると、要カット判定欄２６０２の「〇」印が「×」印に更新される。
【０１１６】
例えば、ファイルＩＤ５０２の「ＣＭ１」で識別されるＣＭ１情報が削除されると、ファイルＩＤ「ＣＵＴ２．２」、「ＣＵＴ４．２」、「ＣＵＴ４．３」でそれぞれ識別される映像音声情報の復元優先度は「０」、「１」、「２」となり、「ＣＵＴ２．２」で識別される映像音声情報は再生されることになる。更に、ＣＭ２の削除によって、「ＣＵＴ４．２」で識別される映像音声情報も再生される。更にＣＭ３の削除が選択されると、「ＣＵＴ４．３」で識別される映像音声情報も要カット判定欄２６０２に「×」印が記録され、再生されることになる。
【０１１７】
なお、これらのＣＭ削除や復元優先度欄２８０２，要カット判定欄２６０２の更新は、視聴管理部２１６で処理される。
また、本実施の形態では、カットされた映像音声情報もＣＭ構成表付番組に全て含めてCM情報管理装置１０１から有料番組受信端末１０２に送信されるものとしたけれども、ファイルＩＤに替えてＵＲＬを記述しておき、再生の必要に応じて実施の形態６のように映像音声ファイル装置から取得するようにしてもよい。
【０１１８】
本実施の形態では、視聴者が削除ＣＭを選択することにより、必要な数だけのシーンを復元することができる。
（実施の形態９）
次に、本発明に係る有料番組送受信システムの実施の形態９について説明する。
【０１１９】
本実施の形態は、上記各実施の形態と構成に大きく異なるところがないので、図２に示した構成図を用い、固有の構成について説明する。
本実施の形態では、同一のＣＭが多数回視聴されると、一定以上の宣伝効果を上げることがなくなることに着目し、同一ＣＭの視聴を制限するＣＭの視聴制限回数を設定している。
【０１２０】
ＣＭ情報管理装置１０１では、予め設定されたＣＭの視聴制限回数を記載した視聴制限表をＣＭ構成表付番組とともにＣＭ構成表付番組送信部２０８から有料番組受信端末１０２に送信する。
有料番組受信端末１０２のＣＭ構成表付番組受信部２１５は、視聴制限表を受信すると視聴管理部２１６に通知する。
【０１２１】
視聴管理部２１６は、通知された視聴制限表を自身の記憶領域に記憶する。
図２９は、視聴制限表の一例を示す図である。視聴制限表２９０１には、ＣＭ毎にＣＭ名２９０２に対応した視聴制限回数２９０３が記載されている。
視聴管理部２１６は、番組記憶部２１１に記憶されているＣＭ付番組構成表４０２に従いファイルＩＤで識別される映像音声情報またはＣＭ情報を再生順序に読み出す際、ＣＭ情報であるか否かを判断し、ＣＭ情報であるときには、当該ＣＭの視聴制限回数が「０」を超えているか否かを判定する。「０」を超えているときは、ＣＭ情報を読み出し、映像音声処理部２１８に通知し、当該ＣＭの視聴制限回数から「１」を減ずる。「０」以下のときには、視聴管理部２１６は、当該ＣＭ情報の読み出しを省略し、次の再生順序の映像音声情報またはＣＭ情報の読み出しに移る。
【０１２２】
例えば、「ＣＭ１」では、再生が「２０回」されると、それ以上ＣＭを再生してもＣＭの宣伝効果が得られないので再生されない。また、視聴者にとっても、同じＣＭを何回も視聴すると飽きることになるからである。
次に、本実施の形態の有料番組受信端末１０２の動作を図３０のフローチャートを用いて説明する。
【０１２３】
視聴管理部２１６は、番組記憶部２１１から読み出すべき情報がＣＭ情報か否かを判定する（Ｓ３００２）。ＣＭ情報でなければ、Ｓ３００８に移る。ＣＭ情報であれば、当該ＣＭの視聴制限回数が「０」を超えているか否かを判定し（Ｓ３００４）、超えていなければＳ３００２に戻り、超えていれば視聴制限回数から「１」を減ずる（Ｓ３００６）。
【０１２４】
次に視聴管理部２１６は、映像音声情報またはＣＭ情報を読み出し、映像音声処理部２１８に通知し、映像音声処理部２１８は、モニタ２３２で再生し（Ｓ３００８）、Ｓ３００２に戻る。
上記各実施の形態では、ＣＭ構成表付番組送信部２０８からＣＭ構成表付番組受信部２１５には、放送電波を通じてＣＭ構成表付番組を送信するよう説明したけれども、公衆回線網を介して送信することとしてもよいし、また、ケーブルＴＶのケーブルにより送信するようにしてもよい。また、モデム２１４とモデム２０５の通信も、ケーブルＴＶのケーブルの上り回線を利用するようにしてもよい。
【０１２５】
なお、上記各実施の形態では、図２、図１９、図２１にその構成図を示したけれども、各構成要素の機能をコンピュータに発揮させるプログラムで実現するようにしてもよい。
また、このプログラムをコンピュータ読み取り可能な記録媒体に記録し、有料番組送受信システムのＣＭ削除をした場合に再度有料番組全体を送受信しなければならないシステムに当該記録媒体を適用することができる。
【０１２６】
【発明の効果】
以上説明したように、本発明は、有料番組にＣＭ（コマーシャルメッセージ）を挿入したＣＭ付有料番組を管理し、複数の有料番組受信端末にＣＭ付有料番組を送信するＣＭ情報管理装置であって、ＣＭ付有料番組と、有料番組を構成する映像音声情報とＣＭ情報との再生順序を記載したＣＭ付番組構成表とからなるＣＭ構成表付有料番組を記憶している番組記憶手段と、前記有料番組受信端末から有料番組を要求されると、当該有料番組のＣＭ構成表付有料番組を前記番組記憶手段から読み出し、要求元の有料番組受信端末に送信する読出送信手段と、前記有料番組受信端末からＣＭ削除を要求されると、前記ＣＭ付番組構成表からＣＭ情報の再生順序を省略した番組構成表を要求元の有料番組受信端末に送信する番組構成表送信手段とを備えることとしている。
【０１２７】
また、本発明は、有料番組にＣＭ（コマーシャルメッセージ）を挿入したＣＭ付有料番組を管理するＣＭ情報管理装置からＣＭ付有料番組を受信して再生する有料番組受信端末であって、前記ＣＭ情報管理装置に有料番組の送信要求をする送信要求手段と、前記ＣＭ情報管理装置から送信されるＣＭ構成表付有料番組を受信してＣＭ付番組構成表とＣＭ付有料番組とをそれぞれ記憶する受信記憶手段と、前記ＣＭ付番組構成表の再生順序に従いＣＭ情報の挿入された映像音声情報を再生する再生手段と、前記ＣＭ情報管理装置にＣＭ削除を要求するＣＭ削除要求手段と、ＣＭ情報の再生順序を省略した番組構成表を前記ＣＭ情報管理装置から受信して記憶する番組構成表受信記憶手段とを備え、前記再生手段は、前記番組構成表受信記憶手段に番組構成表が記憶された後は番組構成表の再生順序に従い映像音声情報を再生することとしている。
【０１２８】
また、本発明は、有料番組にＣＭ（コマーシャルメッセージ）を挿入したＣＭ付有料番組を管理するＣＭ情報管理装置と、前記ＣＭ情報管理装置からＣＭ付有料番組を受信して再生する有料番組受信端末とからなる有料番組送受信システムであって、前記ＣＭ情報管理装置は、ＣＭ付有料番組と、有料番組を構成する映像音声情報とＣＭ情報との再生順序を記載したＣＭ付番組構成表からなるＣＭ構成表付有料番組を記憶している番組記憶手段と、前記有料番組受信端末から有料番組を要求されると、当該有料番組のＣＭ構成表付有料番組を前記番組記憶手段から読み出し、要求元の有料番組受信端末に送信する読出送信手段と、前記有料番組受信端末からＣＭ削除を要求されると、前記ＣＭ付番組構成表からＣＭ情報の再生順序を省略した番組構成表を要求元の有料番組受信端末に送信する番組構成表送信手段とを備え、前記有料番組受信端末は、前記ＣＭ情報管理装置に有料番組の送信要求をする送信要求手段と、前記ＣＭ情報管理装置から送信されるＣＭ構成表付有料番組を受信してＣＭ付番組構成表とＣＭ付有料番組とをそれぞれ記憶する受信記憶手段と、前記ＣＭ付番組構成表の再生順序に従いＣＭ情報の挿入された映像音声情報を再生する再生手段と、前記ＣＭ情報管理装置にＣＭ削除を要求するＣＭ削除要求手段と、ＣＭ情報の再生順序を省略した番組構成表を前記ＣＭ情報管理装置から受信して記憶する番組構成表受信記憶手段ＣＭ削除要求手段とを備え、前記再生手段は、前記番組構成表受信記憶手段に番組構成表が記憶された後は、番組構成表の再生順序に従い映像音声情報を再生することとしている。
【０１２９】
このような構成によって、視聴者がＣＭの削除を希望する場合においても、番組構成表だけを新たに取得すればよいので、有料番組の映像音声情報の受信にかかる時間と通信料を視聴者は払わなくともよい。
また、本発明は、ＣＭ削除の要求がされると、削除ＣＭ数に応じて有料番組受信端末に課す追加視聴料金と、削除ＣＭ数に応じた広告主に返還する広告料の返還額とを計算する削除計算手段を更に備えることとしている。
【０１３０】
このような構成によって、ＣＭ削除により有料番組受信端末に課す削除ＣＭ数に応じた追加視聴料金とＣＭが削除された広告主への宣伝機会の喪失による返還金とが計算できる。
また、前記削除計算手段で計算された追加視聴料金を要求元の有料番組受信端末に通知する通知手段と、前記有料番組受信端末から追加視聴料金に同意するとの旨の通知を受けた後に、前記番組構成表送信手段に番組構成表の送信を許可する番組構成表送信許可手段とを更に備えることとしている。
【０１３１】
同様に前記ＣＭ情報管理装置から追加視聴料金の通知を受け、その追加視聴料金に同意する旨の通知をする同意通知手段を更に備えることとしている。
このような構成によって、視聴者は、追加視聴料金を支払って、ＣＭのない有料番組を視聴するかどうかを判断できる。
また、前記ＣＭ付番組構成表には、削除ＣＭ判定欄が設けられており、前記読出送信手段から送信される段階では、ＣＭ情報は全て削除されないことが削除ＣＭ判定欄に記録されており、前記番組構成表送信手段は、番組構成表の送信に替え、追加視聴料金に同意した旨の通知を受信した旨を同意した旨の通知をしてきた有料番組受信端末に送信することとしている。
【０１３２】
同様に前記ＣＭ付有料番組構成表には、削除ＣＭ判定欄が設けられており、前記ＣＭ情報管理装置から送信される段階では、ＣＭ情報は全て削除されないことが削除ＣＭ判定欄に記録されており、前記ＣＭ情報管理装置は、番組構成表の送信に替え、追加視聴料金に同意した旨の通知を受信した旨を送信し、  前記番組構成表受信記憶手段は、前記同意した旨の通知を受信した旨を受信し、ＣＭ付番組構成表のＣＭ削除を要求したＣＭ情報の削除ＣＭ判定欄に削除すべきことを記録し、前記再生手段は、削除すべきことが記録された削除ＣＭを除外して再生することとしている。
【０１３３】
このような構成によって、視聴者のＣＭ削除の要求に対してCM情報管理装置は、番組構成表を有料番組受信端末に送信することを要せず、有料番組受信端末では、ＣＭを削除した有料番組を再生することができる。
また、前記ＣＭ情報付番組構成表には、要カット判定欄が設けられており、前記読出送信手段から送信される段階では、ＣＭ情報の挿入によりカットされる映像音声情報の要カット判定欄にはカットされる旨が記録されており、前記番組構成表送信手段は、番組構成表の送信に替え、追加視聴料金に同意した旨の通知を受信した旨を同意した旨の通知をしてきた有料番組受信端末に送信することとしている。
【０１３４】
同様に前記ＣＭ情報付番組構成表には、要カット判定欄が設けられており、前記ＣＭ情報管理装置から送信される段階では、ＣＭ情報の挿入によりカットされる映像音声情報の要カット判定欄にはカットされる旨が記録されており、前記ＣＭ情報管理装置は、番組構成表の送信に替え、追加視聴料金に同意した旨の通知を受信した旨の送信をし、前記番組構成表受信記憶手段は、前記同意した旨の通知を受信した旨を受信し、ＣＭ情報の再生を省略するとともに前記要カット判定欄にはノーカットとする旨を記録することとしている。
【０１３５】
このような構成によって、CM情報管理装置は、有料番組受信端末からのＣＭ削除の要求に対して、番組構成表を送信することを必要とせず、また、有料番組受信端末では、カットされた映像音声情報も再生することができる。
また、前記削除計算手段は、既に視聴されたＣＭ数に応じた割引額を計算する、前記有料番組受信端末から視聴したＣＭごとの視聴回数の通知を受ける割引額計算部と、前記追加視聴料金から前記割引額を減算して割引追加視聴料金を計算する割引追加視聴料金計算部とを有することとしている。
【０１３６】
同様に前記再生手段で視聴されたＣＭごとの視聴回数を計数して前記ＣＭ情報管理装置に通知する視聴履歴通知手段を更に備え、前記ＣＭ情報管理装置では、既に視聴された削除ＣＭ数に応じた割引額を計算し、追加視聴料金が計算されることとしている。
このような構成によって、ＣＭの視聴を促すことができる。
【０１３７】
また、前記読出送信手段で送信されるＣＭ構成表付有料番組の番組名に対応付けた有料番組送信数とＣＭ名に対応付けたＣＭ送信数とをそれぞれ計数する計数手段と、前記各有料番組及び各ＣＭの送信１回当りの使用料及び広告料を記憶し、送信数に応じた有料番組の使用料及びＣＭの広告料を算出する算出手段とを更に備えることとしている。
【０１３８】
このような構成によって、有料番組に広告主のＣＭを挿入して、広告主より広告料を得る代わりに視聴者の視聴料を廉価にし、送信した有料番組数に応じて有料番組の使用料を支払い、送信したＣＭ数に応じて広告料を徴収することが可能となる。
また、前記計数手段は、前記読出送信手段で送信されるＣＭ付番組構成表を参照して有料番組送信数及びＣＭ送信数とを計数することとしている。
【０１３９】
このような構成によって、有料番組とＣＭとの送信数を容易に計数できる。
また、前記有料番組受信端末から選択された削除ＣＭ名の通知を受け、削除ＣＭ数に応じて有料番組受信端末に課す追加視聴料金を計算する追加料金計算手段と、計算された追加視聴料金を前記有料番組受信端末に通知する通知手段とを更に備え、前記番組構成表送信手段は、選択された削除ＣＭ情報の再生順序を省略した番組構成表を要求元の有料番組受信端末に送信することとしている。
【０１４０】
同様に前記ＣＭ削除要求手段は、削除するＣＭの選択を受け付ける選択受付部と、前記選択受付部で受け付けられたＣＭ名を前記ＣＭ情報管理装置に通知する削除ＣＭ名通知部とを有し、前記再生手段は、番組構成表の再生順序に従い選択されなかったＣＭ情報の挿入された映像音声情報を再生することとしている。
このような構成によって、視聴者は削除するＣＭを選択することができる。
【０１４１】
また、前記ＣＭ付番組構成表には、要カット判定欄に加えて、優先順位欄が設けられ、前記読出送信手段から送信される段階では、ＣＭ情報の挿入によりカットされる映像音声情報の要カット欄には全てカットする旨が記録されており、前記有料番組受信端末から選択された削除ＣＭ名の通知を受け、削除ＣＭ数に応じて当該有料番組受信端末に課す追加視聴料金を計算する追加料金計算手段と、計算された追加視聴料金を前記有料番組受信端末に通知する通知手段とを更に備え、前記番組構成表送信手段は、番組構成表の送信に換えて追加視聴料金に同意をした旨の通知を受信した旨を要求元の有料番組受信端末に送信することとしている。
【０１４２】
同様に、前記ＣＭ付番組構成表には、要カット判定欄に加えて、優先順位欄が設けられ、前記ＣＭ情報管理装置から送信される段階では、ＣＭ情報の挿入によりカットされる映像音声情報の要カット欄には全てカットする旨が記録されており、前記有料番組受信端末のＣＭ削除要求手段は、削除するＣＭの選択を受け付ける選択受付部と、前記選択受付部で受け付けられたＣＭ名を前記ＣＭ情報管理装置に通知する削除ＣＭ名通知部とを有し、前記番組構成表受信記憶手段は、前記追加視聴料金に同意した旨の通知を受信した旨をＣＭ情報管理装置から受信し、選択されたＣＭ情報の再生を省略するとともに、前記優先順位により、ＣＭ情報の削除数に応じて、要カット判定欄にはノーカットとする旨を記録し、前記再生手段は、番組構成表の再生順序に従い選択されなかったＣＭ情報の挿入され、ノーカットとされた映像音声情報を再生することとしている。
【０１４３】
このような構成によって、視聴者は、ＣＭ情報の削除とＣＭ削除数に応じた追加視聴料の支払いによるカットされた映像音声情報を加えた有料番組の視聴ができる。
また、前記番組構成表送信手段は、前記有料番組受信端末から前記ＣＭ情報で宣伝するＣＭ製品の購入要求を受け付け、当該購入要求元の前記有料番組受信端末からＣＭ削除の要求を受け付ける広告主側装置からＣＭ削除の要請を受けると、前記ＣＭ付番組構成表から当該ＣＭ情報の再生順序を省略したＣＭ付番組構成表を要求元の有料番組受信端末に送信することとしている。
【０１４４】
同様に、ＣＭ情報で宣伝するＣＭ製品の購入要求を広告主側装置に通知する購入要求手段と、前記広告主側装置にＣＭ削除の要請を通知するＣＭ削除要請手段とを更に備え、前記番組構成表受信記憶手段は、前記広告主側装置を介してＣＭ削除の要求を受けた前記ＣＭ情報管理装置からＣＭ情報の再生順序を省略した番組構成表を受信して記憶することとしている。
【０１４５】
同様に、更に広告主側装置を含み、前記広告主側装置は、前記有料番組受信端末から前記ＣＭ情報で宣伝するＣＭ製品の購入要求を受け付ける購入受付手段と、当該購入要求元の有料番組受信端末からＣＭ削除の要求を受け付けると、前記ＣＭ情報管理装置にＣＭ削除を要請するＣＭ削除要求手段とを備え、前記ＣＭ情報管理装置は、更に、記広告主側装置からＣＭ削除の要請を受け、前記ＣＭ付番組構成表からＣＭ情報の再生順序を省略した番組構成表を要求元の有料番組受信端末に送信することとしている。
【０１４６】
このような構成によって、ＣＭ製品の購入を促し、ＣＭ製品の購入により視聴者は、ＣＭを削除した有料番組を見ることができる。
また、前記ＣＭ削除要求手段で要求したＣＭ削除数に応じた追加視聴料金を計算する視聴料計算手段と、既に視聴したＣＭ数に応じた割引額を計算する割引額計算部と、前記追加視聴料金から前記割引額を減算して割引追加視聴料金を計算する割引追加視聴料金計算部とを更に備え、前記再生手段は、割引追加視聴料金を表示することとしている。
【０１４７】
このような構成によって、CM情報管理装置から追加視聴料金の通知を待たずに、追加視聴料金を知ることができる。
また、前記読出送信手段は、ＣＭ構成表付番組とともに更にＣＭ毎の視聴回数の上限を設定した視聴制限表を要求元の有料番組受信端末に送信することとしている。
【０１４８】
同様に、前記受信記憶手段は、更に前記ＣＭ情報管理装置から送信されるＣＭ毎の視聴回数の上限を設定した視聴制限表を受信して記憶し、前記再生手段は、前記視聴制限表に設定された視聴回数を上限として各ＣＭ情報を再生することとしている。
このような構成によって、宣伝効果の期待できない上限回数以上のＣＭ情報の再生が制限でき、また視聴者がＣＭに飽きることが防止される。
【０１４９】
また、番組記憶手段は、ＣＭ付有料番組を記憶しているＣＭ付有料番組記憶部と、ＣＭ付番組構成表を記憶しているＣＭ付番組構成表記憶部とを有していることとしている。
また、本発明は、前記ＣＭ構成表付有料番組は、ＣＭ情報の挿入に伴い、一部の映像音声情報がカットされており、カットされた一部の映像音声情報は、位置情報で特定される映像音声ファイル装置に記憶されており、前記番組構成表送信手段は、カットされた映像音声情報の取得先の位置情報が記録された番組構成表を送信することとしている。
【０１５０】
同様に、前記ＣＭ構成表付有料番組は、ＣＭ情報の挿入に伴い、一部の映像音声情報がカットされており、前記番組構成表には、カットされた映像音声情報を記憶している映像音声ファイル装置の位置情報が記録されており、前記番組構成表に記録された位置情報で特定される映像音声ファイル装置に映像音声情報の取得を要求する取得要求手段と、前記映像音声ファイル装置から送信される映像音声情報を受信して前記受信記憶手段に記憶させるカット映像音声情報受信手段とを備えることとしている。
【０１５１】
同様に、更に映像音声ファイル装置を含み、前記ＣＭ構成表付有料番組は、ＣＭ情報の挿入に伴い、一部の映像音声がカットされており、前記映像音声ファイル装置は、位置情報で特定され、前記映像音声ファイル装置は、前記有料番組受信端末から映像音声情報の取得要求を受信する受信手段と、前記取得要求に応じて要求元の有料番組受信端末に当該映像音声情報を送信する映像音声情報送信手段とを備え、前記ＣＭ情報管理装置の前記番組構成表送信手段は、カットされた映像音声情報の取得先の位置情報が記録された番組構成表を送信し、記有料番組受信端末は、前記番組構成表に記録された位置情報で特定される映像音声ファイル装置に映像音声情報の取得を要求する取得要求手段と、前記映像音声ファイル装置から送信される映像音声情報を受信して前記受信記憶手段に記憶させるカット映像音声情報受信手段とを更に備えることとしている。
【０１５２】
このような構成によって、ＣＭ情報の挿入によってカットされた映像音声情報をインターネットを介して映像音声ファイル装置から取得することができ、新たに全ての有料番組を取得する必要がない。
更に、本発明は、有料番組にＣＭ（コマーシャルメッセージ）を挿入したＣＭ付有料番組を管理し、複数の有料番組受信端末にＣＭ付有料番組を送信するＣＭ情報管理方法であって、ＣＭ付有料番組と、有料番組を構成する映像音声情報とＣＭ情報との再生順序を記載したＣＭ付番組構成表とからなるＣＭ構成表付有料番組を記憶領域に記憶する番組記憶ステップと、前記有料番組受信端末から有料番組を要求されると、当該有料番組のＣＭ構成表付有料番組を記憶領域から読み出し、要求元の有料番組受信端末に送信する読出送信ステップと、前記有料番組受信端末からＣＭ削除を要求されると、前記ＣＭ付番組構成表からＣＭ情報の再生順序を省略した番組構成表を要求元の有料番組受信端末に送信する番組構成表送信ステップとを有することとしている。
【０１５３】
同様に、有料番組にＣＭ（コマーシャルメッセージ）を挿入したＣＭ付有料番組を管理するＣＭ情報管理装置からＣＭ付有料番組を受信して再生する有料番組受信方法であって、前記ＣＭ情報管理装置に有料番組の送信要求をする送信要求ステップと、前記ＣＭ情報管理装置から送信されるＣＭ構成表付有料番組を受信してＣＭ付番組構成表とＣＭ付有料番組とをそれぞれ記憶領域に記憶する受信記憶ステップと、前記ＣＭ付番組構成表の再生順序に従いＣＭ情報の挿入された映像音声情報を再生する再生ステップと、前記ＣＭ情報管理装置にＣＭ削除を要求するＣＭ削除要求ステップと、ＣＭ情報の再生順序を省略した番組構成表を前記ＣＭ情報管理装置から受信して記憶領域に記憶する番組構成表受信記憶ステップとを有し、前記再生ステップでは、前記番組構成表受信記憶ステップで番組構成表が記憶された後は、番組構成表の再生順序に従い、映像音声情報を再生することとしている。
【０１５４】
このような方法によって、視聴者がＣＭの削除を希望する場合に、番組構成表だけ新たに取得すればよい。
【図面の簡単な説明】
【図１】  本発明に係る有料番組送受信システムの実施の形態１の概念図である。
【図２】  上記実施の形態の構成図である。
【図３】  上記実施の形態の有料番組一覧管理部に記憶されている有料番組一覧表の一例を示す図である。
【図４】  上記実施の形態のＣＭ構成表付番組サーバに記憶されているＣＭ構成表付番組のデータ構造の一例を示す図である。
【図５】  上記実施の形態のＣＭ付番組構成表の一例を示す図である。
【図６】  上記実施の形態のＣＭ構成表付番組を編集する前に取得している有料番組の番組構成表の一例を示す図である。
【図７】  上記実施の形態のCM情報管理装置で管理されているＣＭ情報の一覧を示すＣＭ一覧表の一例を示す図である。
【図８】  上記実施の形態の送信計数部で記録される送信回数表の一例を示す図である。
【図９】  上記実施の形態の送信計数部で記録される使用料／広告料表の一例を示す図である。
【図１０】  上記実施の形態のＣＭ視聴履歴管理部で記録される追加料金表の一例を示す図である。
【図１１】  上記実施の形態のＣＭ視聴履歴管理部で記録される割引額計算表の一例を示す図である。
【図１２】  上記実施の形態のCM情報管理装置と有料番組受信端末との間のシーケンス図の一例である。
【図１３】  本発明に係る有料番組送受信システムの実施の形態２のＣＭ視聴履歴管理部で記録される割引追加料金表の一例を示す図である。
【図１４】  上記実施の形態の外部のモニタに表示される表示画面の一例を示す図である。
【図１５】  本発明に係る有料番組送受信システムの実施の形態３のＣＭ構成表付番組サーバに記憶されているＣＭ構成表付番組のＣＭ付番組構成表の一例を示す図である。
【図１６】  上記実施の形態の有料番組受信端末の外部に設けられたモニタに表示される削除ＣＭ選択画面の一例を示す図である。
【図１７】  本発明に係る有料番組送受信システムの実施の形態４のＣＭ付番組構成表の一例を示す図である。
【図１８】  上記実施の形態の有料番組受信端末での再生動作を説明するフローチャートである。
【図１９】  本発明に係る有料番組送受信システムの実施の形態５の構成図である。
【図２０】  上記実施の形態の動作を説明するシーケンス図である。
【図２１】  本発明に係る有料番組送受信システムの実施の形態６の構成図である。
【図２２】  上記実施の形態のCM情報管理装置で記憶されるＣＭ情報が挿入されたＣＭ構成表付番組の基になる有料番組の番組構成表の一例を示す図である。
【図２３】  上記実施の形態のＣＭ構成表付番組のＣＭ付番組構成表の一例を示す図である。
【図２４】  上記実施の形態のＣＭ構成表付番組管理部で記憶されているノーカット版番組構成表の一例を示す図である。
【図２５】  上記実施の形態の動作を説明するシーケンス図である。
【図２６】  本発明に係る有料番組送受信システムの実施の形態７のＣＭ付番組構成表の一例を示す図である。
【図２７】  上記実施の形態の有料番組受信端末での再生動作を説明するフローチャートである。
【図２８】  本発明に係る有料番組送受信システムの実施の形態８のＣＭ付番組構成表の一例を示す図である。
【図２９】  本発明に係る有料放送番組送受信システムの実施の形態９の視聴制限表の一例を示す図である。
【図３０】  上記実施の形態の有料番組受信端末での動作を説明するフローチャートである。
【符号の説明】
１０１            ＣＭ情報管理装置
１０２，２１０１  有料番組受信端末
１０３            有料番組提供者側装置
１０４            広告主側装置
２０１            有料番組一覧管理部
２０２            ＣＭ構成表付番組サーバ
２０３            送信数計数部
２０４            ＣＭ視聴履歴管理部
２０５            モデム
２０６            送受信制御部
２０７            ＣＭ構成表付番組管理部
２０８            ＣＭ構成表付番組送信部
２１１            番組記憶部
２１２            入力受付部
２１３            送受信制御部
２１４            モデム
２１５            ＣＭ構成表付番組受信部
２１６            視聴管理部
２１７            ＩＣカ−ド
２１８            映像音声処理部
２３１            リモコン
２３２            モニタ
１９０１          モデム
１９０２          管理部
２１０２          映像音声ファイル転送要求送信部
２１０３          映像音声ファイル受信部
２１１１          映像音声ファイル装置
２１１２          映像音声ファイルサーバ
２１１３          映像音声ファイル転送要求受信部
２１１４          映像音声ファイル管理部
２１１５          映像音声ファイル送信部
【図１】
0004065144.tif 000002
【図２】
0004065144.tif 000003
【図３】
0004065144.tif 000004
【図４】
0004065144.tif 000005
【図５】
0004065144.tif 000006
【図６】
0004065144.tif 000007
【図７】
0004065144.tif 000008
【図８】
0004065144.tif 000009
【図９】
0004065144.tif 000010
【図１０】
0004065144.tif 000011
【図１１】
0004065144.tif 000012
【図１２】
0004065144.tif 000013
【図１３】
0004065144.tif 000014
【図１４】
0004065144.tif 000015
【図１５】
0004065144.tif 000016
【図１６】
0004065144.tif 000017
【図１７】
0004065144.tif 000018
【図１８】
0004065144.tif 000019
【図１９】
0004065144.tif 000020
【図２０】
0004065144.tif 000021
【図２１】
0004065144.tif 000022
【図２２】
0004065144.tif 000023
【図２３】
0004065144.tif 000024
【図２４】
0004065144.tif 000025
【図２５】
0004065144.tif 000026
【図２６】
0004065144.tif 000027
【図２７】
0004065144.tif 000028
【図２８】
0004065144.tif 000029
【図２９】
0004065144.tif 000030
【図３０】
0004065144.tif 000031